(57)【要約】【課題】１個の球の入賞によって球の入賞可能な形態に開放される可変入賞口の個数の多数化を図る。【解決手段】球が第６入賞口３７に入賞すると、第８乃至第１１入賞口３９乃至４２と第１７乃至第１９入賞口４８乃至５０および第２１入賞口５２からなる合計８個の可変入賞口が球の入賞可能な形態に開放され、球が開放した第８入賞口３９または第９入賞口４０に入賞すると、第１３入賞口４４が球の入賞可能な形態に開放され、球が開放した第１０入賞口４１または第１１入賞口４２に入賞すると、第１５入賞口４６が球の入賞可能な形態に開放され、球が開放した第１７入賞口４８に入賞すると、第２０入賞口５１が球の入賞可能な形態に開放され、球が開放した第１９入賞口５０に入賞すると、第２２入賞口５３が球の入賞可能な形態に開放され、球が開放した可変入賞口のいずれかに入賞するたびに、賞球としての球が遊技機枠の前面に払い出される。【選択図】図１
2007307266.tif 000002
【特許請求の範囲】
【請求項１】
遊技基盤の前面に設けられた遊技領域と、遊技盤の遊技領域に設けられた特定入賞口と、遊技盤の遊技領域に設けられた多数の可変入賞口と、特定入賞口への球の入賞によって多数の可変入賞口を球の入賞可能な形態に開放するように電気を使用しない機械的な機構に構成されて遊技基盤の裏側に設けられた連動入賞口機構とを備えたことを特徴とするパチンコ遊技機の遊技盤。
【請求項２】
請求項１における遊技盤の遊技領域には球の入賞可能な形態に開放した可変入賞口への球の入賞によって球の入賞可能な形態に開放する別の可変入賞口が設けられたことを特徴とするパチンコ遊技機の遊技盤。
【発明の詳細な説明】
【技術分野】
【０００１】
本発明は、特定入賞口に入賞した１個の球が電気を使用しない機械的な機構で多数の可変入賞口を球の入賞可能な形態に開放するパチンコ遊技機の遊技盤に関する。
【背景技術】
【０００２】
パチンコ遊技機の遊技盤には、特定入賞口に入賞した１個の球が、電気を使用しない機械的な機構で、１個または２個の可変入賞口を球の入賞可能な形態に開放するものが知られている。しかしながら、１個の球の入賞によって球の入賞可能な形態に開放される可変入賞口の個数が少ないという欠点がある。
【特許文献１】特公昭５７−１５９１９号公報
【特許文献２】特開平４−３１７６７８号公報
【特許文献３】特開平５−８４３４４号公報
【発明の開示】
【発明が解決しようとする課題】
【０００３】
発明が解決しようとする問題点は、１個の球の入賞によって球の入賞可能な形態に開放される可変入賞口の個数が、１個または２個と少ないという点である。
【課題を解決するための手段】
【０００４】
本発明に係るパチンコ遊技機の遊技盤は、遊技基盤の前面に設けられた遊技領域と、遊技盤の遊技領域に設けられた特定入賞口と、遊技盤の遊技領域に設けられた多数の可変入賞口と、特定入賞口への球の入賞によって多数の可変入賞口を球の入賞可能な形態に開放するように電気を使用しない機械的な機構に構成されて遊技基盤の裏側に設けられた連動入賞口機構とを備えたことを最も主要な特徴とする。遊技盤の遊技領域には球の入賞可能な形態に開放した可変入賞口への球の入賞によって球の入賞可能な形態に開放する可変入賞口が設けられてもよい。
【発明の効果】
【０００５】
本発明に係るパチンコ遊技機の遊技盤は、１個の球が特定入賞口に入賞すると、電気を使用しない機械的な機構に構成された連動入賞口機構によって、多数の可変入賞口が球の入賞可能な形態に開放されるので、１個の球の入賞によって球の入賞可能な形態に開放される可変入賞口の個数が多数と多くなるという利点がある。遊技盤の遊技領域には球の入賞可能な形態に開放した可変入賞口への球の入賞によって球の入賞可能な形態に開放する別の可変入賞口が設けられれば、１個の球が特定入賞口に入賞すると、別の可変入賞口が球の入賞可能な形態に開放される可能性が生まれるので、１個の球の入賞によって球の入賞可能な形態に開放される可能性を有する可変入賞口の個数がさらに多くなるという利点がある。
【発明を実施するための最良の形態】
【０００６】
図１乃至図１８は、発明を実施するための最良の形態である。図１および図２は、遊技盤２の正面を示す。図３は、第１乃至第１１入賞部品２１乃至３１と第１乃至第２２入賞口３２乃至５３と払出と連動との相互関係を示す。図４は、球が入賞した場合における第１入賞口３２、第２入賞口３３、第５乃至第２２入賞口３６乃至５３の相互関係を示す。図５は、可変入賞部品１１１を分解して示す。図６は、可変入賞部品１１１Ａ乃至１１１Ｄを示す。図７は、可変入賞部品１１１Ｄの作用を示す。図８は、可変入賞部品２０１を分解して示す。図９は、可変入賞部品２０１Ａ；２０１Ｂを示す。図１０は、可変入賞部品入賞部品２０１Ａの作用を示す。図１１は、第３入賞部品２３を示す。図１２は、可変入賞口３０１の内部を示す。図１３は、連動入賞機構３３１の動作を示す。図１４は、連動入賞機構３２０を分解して示す。図１５は、連動入賞機構３２０における遊技基盤２Ａ、球導出部品３３４、第３レバー３３２、第４レバー３３３の組み立てられた裏側を示す。図１６は、連動入賞機構３２０の動作を示す。図１７は、パチンコ遊技機の正面を示す。本明細書において、「前」、「表」、「後」、「裏」、「左」、「右」、「上」、「下」の方向は、図１７の状態に遊技機枠１および遊技盤２を置いて図１７の紙面の前側から見た場合に特定される方向である。「前」および「表」は、同じ方向である。「後」および「裏」は、同じ方向である。
【０００７】
図１乃至図３を参照し、遊技盤２の前部の構造について説明する。図１に示すように、遊技盤２は、遊技基盤２Ａの前面に、遊技領域１３を備える。遊技領域１３は、遊技盤２の前面の内ガイドレール１４および外ガイドレール１５で囲まれた部分である。遊技領域１３の左側には、球発射通路１６が接続される。球発射通路１６は、内ガイドレール１４の左側部と外ガイドレール１５の左側部との間の隙間によって形成される。遊技領域１３には、アウト口１７、球戻り防止弁１８、球反発体１９、遊技釘２０、第１入賞部品２１、第２入賞部品２２、第３入賞部品２３、第４入賞部品２４、第５入賞部品２５、第６入賞部品２６、第７入賞部品２７、第８入賞部品２８、第９入賞部品２９、第１０入賞部品３０、第１１入賞部品３１が設けられる。
【０００８】
図１および図２に示すように、第１入賞部品２１は、第１入賞口３２を備える。第２入賞部品２２は、第２入賞口３３を備える。第３入賞部品２３は、第３入賞口３４、第４入賞口３５、第５入賞口３６、第６入賞口３７、第７入賞口３８、第８入賞口３９、第９入賞口４０、第１０入賞口４１、第１１入賞口４２、第１２入賞口４３からなる１０個の入賞口を備える。第４入賞部品２４は、第１３入賞口４４、第１４入賞口４５を備える。第５入賞部品２５は、第１５入賞口４６、第１６入賞口４７を備える。第６入賞部品２６は、第１７入賞口４８を備える。第７入賞部品２７は、第１８入賞口４９を備える。第８入賞部品２８は、第１９入賞口５０を備える。第９入賞部品２９は、第２０入賞口５１を備える。第１０入賞部品３０は、第２１入賞口５２を備える。第１１入賞部品３１は、第２２入賞口５３を備える。
【０００９】
第１乃至第７入賞口３２乃至３８、第１２入賞口４３、第１４入賞口４５、第１６入賞口４７は、球を取り入れるための球入口の大きさが不変な入賞口として構成される。第８乃至第１１入賞口３９乃至４２は、遊技領域１３から球を取り入れるための球入口の大きさが可変な入賞口として、球入口の前部に一体の開閉体ａを個別に備え、開閉体ａが垂直姿勢から下部を中心として前側に開放されて前傾姿勢になることによって、球入口に球を入れることが可能になり、開閉体ａが前傾姿勢から下部を中心として後側に閉鎖され垂直姿勢になることによって、球入口に球を入れることが不可能になるように、構成される。
【００１０】
第１３入賞口４４、第１５入賞口４６、第１７乃至第２２入賞口４８乃至５３は、遊技領域１３から球を取り入れるための球入口の大きさが可変な入賞口として、球入口の前部両側に左右一対の開閉体ｂ；ｃを備え、左の開閉体ｂが垂直姿勢から下部を中心として左側に開放されて左斜め姿勢になり、右の開閉体ｃが垂直姿勢から下部を中心として右側に開放されて右斜め姿勢になることによって、球入口に球を入れることが可能になり、左の開閉体ｂが左斜め姿勢から下部を中心として右側に閉鎖されて垂直姿勢になり、右の開閉体ｃが右斜め姿勢から下部を中心として左側に閉鎖されて垂直姿勢になることによって、球入口に球を入れることが不可能になるように、構成される。
【００１１】
第１入賞口３２、第２入賞口３３、第５乃至第２２入賞口３６乃至５３は、入賞した球を遊技盤２の裏側に排出する。第３入賞口３４、第４入賞口３５は、入賞した球を、第５乃至第７入賞口３６乃至３８のいずれかに必ず入賞するように、第３入賞部品２３の前部に形成された部屋で下方に落下する。第１乃至第４入賞口３２乃至３５、第８乃至第２２入賞口３９乃至５３に球が入賞すると、図外の球払出機構が賞球を払い出す。第５乃至第７入賞口３６乃至３８に球が入賞しても、球払出機構が賞球を払い出さない。
【００１２】
第５入賞口３６または遊技領域１３から第１４入賞口４５に入賞した球は、遊技盤２の裏側に排出され、第１３入賞口４４の開閉体ｂ；ｃを開放する。第８入賞口３９の開閉体ａまたは第９入賞口４０の開閉体ａが開放中において、遊技領域１３から第８入賞口３９または第９入賞口４０に入賞した球は、球の入賞した入賞口に該当する開閉体ａを閉鎖し、遊技盤２の裏側に排出され、第１３入賞口４４の開閉体ｂ；ｃを開放する。第６入賞口３７に入賞した球は、遊技盤２の裏側に排出され、第８乃至第１１入賞口３９乃至４２の開閉体ａと第１７乃至第１９入賞口４８乃至５０および第２１入賞口５２の開閉体ｂ；ｃを開放する。
【００１３】
第７入賞口３８または遊技領域１３から第１６入賞口４７に入賞した球は、遊技盤２の裏側に排出され、第１５入賞口４６の開閉体ｂ；ｃを開放する。第１０入賞口４１の開閉体ａまたは第１１入賞口４２の開閉体ａが開放中において、遊技領域１３から第１０入賞口４１または第１１入賞口４２に入賞した球は、球の入賞した入賞口に該当する開閉体ａを閉鎖し、遊技盤２の裏側に排出され、第１５入賞口４６の開閉体ｂ；ｃを開放する。
【００１４】
第１３入賞口４４の開閉体ｂ；ｃが開放中において、遊技領域１３から第１３入賞口４４に入賞した球は、第１３入賞口４４の開閉体ｂ；ｃを閉鎖し、遊技盤２の裏側に排出される。第１５入賞口４６の開閉体ｂ；ｃが開放中において、遊技領域１３から第１５入賞口４６に入賞した球は、第１５入賞口４６の開閉体ｂ；ｃを閉鎖し、遊技盤２の裏側に排出される。第１７入賞口４８の開閉体ｂ；ｃが開放中において、遊技領域１３から第１７入賞口４８に入賞した球は、第１７入賞口４８の開閉体ｂ；ｃを閉鎖し、遊技盤２の裏側に排出され、第２０入賞口５１の開閉体ｂ；ｃを開放する。第１８入賞口４９の開閉体ｂ；ｃが開放中において、遊技領域１３から第１８入賞口４９に入賞した球は、第１８入賞口４９の開閉体ｂ；ｃを閉鎖し、遊技盤２の裏側に排出され、第２１入賞口５２の開閉体ｂ；ｃを開放する。
【００１５】
第１９入賞口５０の開閉体ｂ；ｃが開放中において、遊技領域１３から第１９入賞口５０に入賞した球は、第１９入賞口５０の開閉体ｂ；ｃを閉鎖し、遊技盤２の裏側に排出され、第２２入賞口５３の開閉体ｂ；ｃを開放する。第２０入賞口５１の開閉体ｂ；ｃが開放中において、遊技領域１３から第２０入賞口５１に入賞した球は、第２０入賞口５１の開閉体ｂ；ｃを閉鎖し、遊技盤２の裏側に排出される。第２１入賞口５２の開閉体ｂ；ｃが開放中において、遊技領域１３から第２１入賞口５２に入賞した球は、第２１入賞口５２の開閉体ｂ；ｃを閉鎖し、遊技盤２の裏側に排出される。第２２入賞口５３の開閉体ｂ；ｃが開放中において、遊技領域１３から第２２入賞口５３に入賞した球は、第２２入賞口５３の開閉体ｂ；ｃを閉鎖し、遊技盤２の裏側に排出される。
【００１６】
よって、第５入賞口３６に球が入賞した場合、賞球が払い出されず、第１３入賞口４４の開閉体ｂ；ｃが開放する。第６入賞口３７に球が入賞した場合、賞球が払い出されず、第８乃至第１１入賞口３９乃至４２の開閉体ａと第１７乃至第１９入賞口４８乃至５０および第２１入賞口５２の開閉体ｂ；ｃとが開放する。第７入賞口３８に球が入賞した場合、賞球が払い出されず、第１５入賞口４６の開閉体ｂ；ｃが開放する。第８入賞口３９または第９入賞口４０または第１４入賞口４５に球が入賞した場合、賞球が払い出され、第１３入賞口４４の開閉体ｂ；ｃが開放する。第１０入賞口４１または第１１入賞口４２または第１６入賞口４７に球が入賞した場合、賞球が払い出され、第１５入賞口４６の開閉体ｂ；ｃが開放する。第１７入賞口４８に球が入賞した場合、賞球が払い出され、第２０入賞口５１の開閉体ｂ；ｃが開放する。第１８入賞口４９に球が入賞した場合、賞球が払い出され、第２１入賞口５２の開閉体ｂ；ｃが開放する。第１９入賞口５０に球が入賞した場合、賞球が払い出され、第２２入賞口５３の開閉体ｂ；ｃが開放する（図３参照）。
【００１７】
第１８入賞口４９の開閉体ｂ；ｃおよび第２１入賞口５２の開閉体ｂ；ｃが開放中においては、球が第１８入賞口４９に入賞するよりも先の時点で第２１入賞口５２に入賞した方が、球が第２１入賞口５２に入賞するよりも先の時点で第１８入賞口４９に入賞するよりも、有利である。その理由は、球が第１８入賞口４９に入賞するよりも先の時点で第２１入賞口５２に入賞すれば、第２１入賞口５２への入賞に伴い第２１入賞口５２の開閉体ｂ；ｃが閉鎖した後に、第１８入賞口４９への入賞に伴い第２１入賞口５２の開閉体ｂ；ｃが再び開放するからである。換言すると、球が第１８入賞口４９に入賞するよりも先の時点で第２１入賞口５２に入賞した場合に賞球として払い出される球の個数は、球が第２１入賞口５２に入賞するよりも先の時点で第１８入賞口４９に入賞した場合に賞球として払い出される球の個数よりも多くなるからである。
【００１８】
第６入賞口３７に入賞した１個の球が、第８乃至第１１入賞口３９乃至４２の開閉体ａと第１７乃至第１９入賞口４８乃至５０および第２１入賞口５２の開閉体ａ；ｂとを開放するので、第６入賞口３７は、第８乃至第１１入賞口３９乃至４２と第１７乃至第１９入賞口４８乃至５０および第２１入賞口５２からなる８個の可変入賞口を球の入賞可能な形態に開放する、特定入賞口を構成する。また、第８乃至第１１入賞口３９乃至４２と第１７入賞口４８および第１９入賞口５０が入賞可能な形態に開放した場合において、第８入賞口３９または第９入賞口４０に入賞した球が第１３入賞口４４の開閉体ｂ；ｃを開放し、第１０入賞口４１または第１１入賞口４２に入賞した球が第１５入賞口４６の開閉体ｂ；ｃを開放し、第１７入賞口４８に入賞した球が第２０入賞口５１の開閉体ｂ；ｃを開閉し、第１９入賞口５０に入賞した球が第２２入賞口５３の開閉体ｂ；ｃを開閉するので、第６入賞口３７は、第１３入賞口４４と第１５入賞口４６と第２０入賞口５１および第２２入賞口５３からなる４個の可変入賞口を球の入賞可能な形態に開放するきっかけを作る、特定入賞口としても機能する。
【００１９】
図１において、第３入賞部品２３および第６入賞口３７は、遊技領域１３の中心線Ｌ１および中心線Ｌ２の上に配置される。中心線Ｌ１：Ｌ２は、互いに直交する。中心線Ｌ１は、遊技領域１３の最上位置５４と最下位置５５とを結ぶように上下方向に延びて、遊技領域１３を左右に分ける。中心線Ｌ２は、遊技領域１３の最左位置５６と最右位置５７とを結ぶように左右方向に延びて、遊技領域１３を上下に分ける。第４乃至第１１入賞部品２４乃至３１は、中心線Ｌ２よりも下部の遊技領域１３に設けられる。第４乃至第８入賞部品２４乃至２８からなる５個の可変入賞部品は、互いに左右に離れて配置され、上段の可変入賞部品を構成する。上段における第４乃至第８入賞部品２４乃至２８の開閉体ｂ；ｃの全部が開放された場合、第４入賞部品２４の開閉体ｃと第６入賞部品２６の開閉体ｂとの間、第６入賞部品２６の開閉体ｃと第７入賞部品２７の開閉体ｂとの間、第７入賞部品２７の開閉体ｃと第８入賞部品２８の開閉体ｂとの間、第８入賞部品２８の開閉体ｃと第５入賞部品２５の開閉体ｂとの間は、球が上から下に通過可能な間隔を構成する。第９乃至第１１入賞部品２９乃至３１からなる３個の可変入賞部品は、互いに左右に離れて配置され、下段の可変入賞部品を構成する。下段における第９乃至第１１入賞部品２９乃至３１の開閉体ｂ；ｃの全部が開放された場合、第９入賞部品２９の開閉体ｃと第１０入賞部品３０の開閉体ｂとの間、第１０入賞部品３０の開閉体ｃと第１１入賞部品３１の開閉体ｂとの間は、球が上から下に通過可能な間隔を構成する。
【００２０】
図３において、入賞部品欄の第１乃至第１１は、図１および図２の第１乃至第１１入賞部品２１乃至３１を表す。入賞口欄の第１乃至第２２は、図１および図２の第１乃至第２２入賞口３２乃至５３を表す。払出欄の○印は、当該欄の左側に位置する入賞口への入賞に対し、賞球が払い出されることを表す。払出欄の×印は、当該欄の左側に位置する入賞口への入賞に対し、賞球が払い出されないことを表す。連動欄の○印は、当該欄の左側に位置する入賞口への入賞に対し、連動する入賞口が有ることを表す。連動欄の○印の右側には、連動する入賞口の該当する番号を表す。この連動欄の○印の左側における連動する入賞口の該当する番号は、図２の第８乃至第１１入賞口３９乃至４２と第１３入賞口４４と第１５入賞口４６と第１７乃至第２２入賞口４８乃至５３を表す。
【００２１】
図４を参照し、球が入賞した場合における第１入賞口３２、第２入賞口３３、第５乃至第２２入賞口３６乃至５３の相互関係について説明する。遊技盤２の裏面には、球通路が次のように構成される。第１球通路８３は、第１入賞口３２から遊技盤２の裏側に排出された球を、矢印Ｘ１で示す経路で、下方に誘導する。第１球通路８３を通過する球は、第１球通路８３に設けられた第１入賞球検出器６２で検出される。第２球通路８４は、第２入賞口３３、第１２入賞口４３のいずれかから遊技盤２の裏側に排出された球を、矢印Ｘ２；Ｘ３のいずれかで示す経路で、下方に誘導する。第２球通路８４を通過する球は、第２球通路８４に設けられた第２入賞球検出器６３で検出される。第１入賞球検出器６２または第２入賞球検出器６３は、球を検出した信号を入賞信号として図外の制御装置に出力し、制御装置が入賞信号に対応する個数の賞球としての球を払い出すように図外の球払出機構を駆動する。つまり、第１入賞口３２、第２入賞口３３、第１２入賞口４３のいずれかに入賞した球は、賞球の払い出しを伴い、他の入賞口の開閉体を開放することなく、遊技盤２の下部から下方に排出される。
【００２２】
第３球通路８５は、第５入賞口３６、第８入賞口３９、第９入賞口４０のいずれかから遊技盤２の裏側に排出された球を、矢印Ｘ４；Ｘ５；Ｘ６のいずれかで示す経路で、第１３入賞口４４の作動体２１３の上に誘導する。第４球通路８６は、第１４入賞口４５から遊技盤２の裏側に排出された球を、矢印Ｘ７で示す経路で、真下の作動体２１３の上に誘導する。作動体２１３の後部は、その上に乗った球の重さで下方に動き、作動体２１３の前部が第１３入賞口４４の図１の開閉体ｂ；ｃを開放する。作動体２１３の後部が下方に動くと、その上に乗った球は、作動体２１３から第１３入賞口４４を迂回して左斜め下方の第５球通路８７に排出される。第５球通路８７は、作動体２１３から排出された球を、矢印Ｘ８で示す経路で、第１球通路８３の下部に集合するように誘導する。第５入賞口３６に入賞した球は、第５入賞口３６に設けられた第５入賞球検出器６６で検出される。第８入賞口３９に入賞した球は、第８入賞口３９から第３球通路８５に球を誘導する球通路８５Ａに設けられた第８入賞球検出器６９で検出される。第９入賞口４０に入賞した球は、第９入賞口４０から第３球通路８５に球を誘導する球通路８５Ｂに設けられた第９入賞球検出器７０で検出される。第１４入賞口４５に入賞した球は、第１４入賞口４５に設けられた第１３入賞球検出器７４で検出される。第８入賞球検出器６９または第９入賞球検出器７０または第１３入賞球検出器７４は、球を検出した信号を入賞信号として図外の制御装置に出力し、制御装置が入賞信号に対応する個数の賞球としての球を払い出すように図外の球払出機構を駆動する。つまり、第５入賞口３６に入賞した球は、賞球の払い出しを伴うことなく、第１３入賞口４４における図１の開閉体ｂ；ｃを開放し、遊技盤２の下部から下方に排出される。第８入賞口３９、第９入賞口４０、第１４入賞口４５のいずれかに入賞した球は、賞球の払い出しを伴い、第１３入賞口４４における図１の開閉体ｂ；ｃを開放し、遊技盤２の下部から下方に排出される。
【００２３】
第６球通路８８は、第７入賞口３８、第１０入賞口４１、第１１入賞口４２のいずれかから遊技盤２の裏側に排出された球を、矢印Ｘ９；Ｘ１０；Ｘ１１のいずれかで示す経路で、第１５入賞口４６の作動体２１２の上に誘導する。第７球通路８９は、第１６入賞口４７から遊技盤２の裏側に排出された球を、矢印Ｘ１２で示す経路で、真下の作動体２１２の上に誘導する。作動体２１２の後部は、その上に乗った球の重さで下方に動き、作動体２１２の前部が第１５入賞口４６における図１の開閉体ｂ；ｃを開放する。作動体２１２の後部が下方に動くと、その上に乗った球は、作動体２１２から第１５入賞口４６を迂回して右斜め下方の第８球通路９０に排出される。第８球通路９０は、作動体２１２から排出された球を、矢印Ｘ１３で示す経路で、第２球通路８４の下部に集合するように誘導する。第７入賞口３８に入賞した球は、第７入賞口３８に設けられた第７入賞球検出器６８で検出される。第１０入賞口４１に入賞した球は、第７入賞口３８から第６球通路８８に球を誘導する球通路８８Ａに設けられた第１０入賞球検出器７１で検出される。第１１入賞口４２に入賞した球は、第７入賞口３８から第６球通路８８に球を誘導する球通路８８Ｂに設けられた第１１入賞球検出器７２で検出される。第１６入賞口４７に入賞した球は、第１６入賞口４７に設けられた第１５入賞球検出器７６で検出される。第１０入賞球検出器７１または第１１入賞球検出器７２または第１５入賞球検出器７６は、球を検出した信号を入賞信号として図外の制御装置に出力し、制御装置が入賞信号に対応する個数の賞球としての球を払い出すように図外の球払出機構を駆動する。つまり、第７入賞口３８に入賞した球は、賞球の払い出しを伴うことなく、第１５入賞口４６における図１の開閉体ｂ；ｃ開閉体を開放し、遊技盤２の下部から下方に排出される。第１０入賞口４１、第１１入賞口４２のいずれかに入賞した球は、賞球の払い出しを伴い、第１５入賞口４６における図１の開閉体ｂ；ｃを開放し、遊技盤２の下部から下方に排出される。
【００２４】
第９球通路９１は、第６入賞口３７から遊技盤２の裏側に排出された球を、矢印Ｘ１４で示す経路で、第１８入賞口４９の作動体１２５の後部を下方に動かす。第６入賞口３７に入賞した球は、第６入賞口３７に設けられた第６入賞球検出器６７で検出される。第９球通路９１を落下する球は、その途中で、図１１の第１レバー２９３および第２レバー２９４と図１５の第３レバー３３２および第４レバー３３３を動かす。第１レバー２９３が第８入賞口３９および第９入賞口４０における図１の開閉体ａを開放する。第２レバー２９４が第１０入賞口４１および第１１入賞口４２における図１の開閉体ａを開放する。第３レバー３３２が第１７入賞口４８における図１の開閉体ｂ；ｃを開放するための作動体１２４の後部を下方に動かす。第４レバー３３３が第１９入賞口５０の作動体１２２の後部を下方に動かす。第４レバー３３３を動かした後の第９球通路９１を落下する球は、第１８入賞口４９の作動体１２５の上に誘導される。これによって、第１８入賞口４９の作動体１２５の後部がその上に乗った球の重さで下方に動き、第１８入賞口４９の作動体１２５の前部が第１８入賞口４９における図１の開閉体ｂ；ｃを開放する。第１８入賞口４９の作動体１２５の後部が下方に動くと、その上に乗った球は、第１８入賞口４９の作動体１２５から第１８入賞口４９を迂回して左斜め下方の第１０球通路９２に排出される。
【００２５】
第１０球通路９２は、第１８入賞口４９の作動体１２５から排出された球を、矢印Ｘ１５で示す経路で、第１１球通路９３の下部に集合するように誘導する。第１１球通路９３の下部に誘導された球は、矢印Ｘ１６で示す経路で、第１１球通路９３を下方に落下して第２１入賞口５２の作動体１２５の上に誘導される。第２１入賞口５２の作動体１２５の後部がその上に乗った球の重さで下方に動き、第２１入賞口５２の作動体１２５の前部が第２１入賞口５２における図１の開閉体ｂ；ｃを開放する。第２１入賞口５２の作動体１２５の後部が下方に動くと、その上に乗った球は、第２１入賞口５２の作動体１２５から第２１入賞口５２を迂回して左斜め下方の第１２球通路９４に排出される。第１２球通路９４は、第２１入賞口５２の作動体１２５から排出された球を、矢印Ｘ１７で示す経路で、下方に排出する。つまり、第６入賞口３７に入賞した球は、賞球の払い出しを伴うことなく、第８乃至第１１入賞口３９乃至４２の開閉体ａを開放し、第１７乃至第１９入賞口４８乃至５０の開閉体ｂ；ｃを開放し、第２１入賞口５２の開閉体ｂ；ｃを開放し、遊技盤２の下部から下方に排出される。
【００２６】
第１８入賞口４９から遊技盤２の裏側に排出された球は、矢印Ｘ１６で示す経路で、第１１球通路９３を経由して第２１入賞口５２の作動体１２５の上に落下した後、矢印Ｘ１７で示す経路で第１２球通路９４に排出される。第１８入賞口４９に入賞した球は、第１１球通路９３における第１０球通路９２の合流する部分よりも上部に設けられた第１７入賞球検出器７８で検出される。第１７入賞球検出器７８は、球を検出した信号を入賞信号として図外の制御装置に出力し、制御装置が入賞信号に対応する個数の賞球としての球を払い出すように図外の球払出機構を駆動する。つまり、第１８入賞口４９に入賞した球は、賞球の払い出しを伴い、第２１入賞口５２における図１の開閉体ｂ；ｃを開放し、遊技盤２の下部から下方に排出される。第２１入賞口５２から遊技盤２の裏側に排出された球は、矢印Ｘ１８で示す経路で、第１３球通路９５に排出される。第２１入賞口５２に入賞した球は、第１３球通路９５に設けられた第２０入賞球検出器８１で検出される。第２０入賞球検出器８１は、球を検出した信号を入賞信号として図外の制御装置に出力し、制御装置が入賞信号に対応する個数の賞球としての球を払い出すように図外の球払出機構を駆動する。つまり、第２１入賞口５２に入賞した球は、賞球の払い出しを伴い、他の入賞口における図１の開閉体ｂ；ｃを開放することなく、遊技盤２の下部から下方に排出される。
【００２７】
第１３入賞口４４から遊技盤２の裏側に排出された球は、矢印Ｘ１９で示す経路で、第１４球通路９６から第１５球通路９７に排出される。第１３入賞口４４に入賞した球は、第１４球通路９６に設けられた第１２入賞球検出器７３で検出される。第１２入賞球検出器７３は、球を検出した信号を入賞信号として図外の制御装置に出力し、制御装置が入賞信号に対応する個数の賞球としての球を払い出すように図外の球払出機構を駆動する。つまり、第１３入賞口４４に入賞した球は、賞球の払い出しを伴い、他の入賞口における図１の開閉体ｂ；ｃを開放することなく、遊技盤２の下部から下方に排出される。第１５入賞口４６から遊技盤２の裏側に排出された球は、矢印Ｘ２０で示す経路で、第１６球通路９８から第１７球通路９９に排出される。第１５入賞口４６に入賞した球は、第１６球通路９８に設けられた第１４入賞球検出器７５で検出される。第１４入賞球検出器７５は、球を検出した信号を入賞信号として図外の制御装置に出力し、制御装置が入賞信号に対応する個数の賞球としての球を払い出すように図外の球払出機構を駆動する。つまり、第１５入賞口４６に入賞した球は、賞球の払い出しを伴い、他の入賞口における図１の開閉体ｂ；ｃを開放することなく、遊技盤２の下部から下方に排出される。
【００２８】
第１７入賞口４８から遊技盤２の裏側に排出された球は、矢印Ｘ２１で示す経路で、第１８球通路１００を経由して第２０入賞口５１の作動体１２３の後部の上に誘導される。作動体１２３の後部がその上に乗った球の重さで下方に動き、作動体１２３の前部が第２０入賞口５１における図１の開閉体ｂ；ｃを開放する。作動体１２３の後部が下方に動くと、その上に乗った球は、矢印Ｘ２２で示す経路で、作動体１２３から第２０入賞口５１を迂回して右斜め下方の第１９球通路１０１に排出される。第１７入賞口４８に入賞した球は、第１８球通路１００に設けられた第１６入賞球検出器７７で検出される。第１６入賞球検出器７７は、球を検出した信号を入賞信号として図外の制御装置に出力し、制御装置が入賞信号に対応する個数の賞球としての球を払い出すように図外の球払出機構を駆動する。つまり、第１７入賞口４８に入賞した球は、賞球の払い出しを伴い、第２０入賞口５１における図１の開閉体ｂ；ｃを開放し、遊技盤２の下部から下方に排出される。第２０入賞口５１から遊技盤２の裏側に排出された球は、矢印Ｘ２３で示す経路で、第２０球通路１０２に排出される。第２０入賞口５１に入賞した球は、第２０球通路１０２に設けられた第１９入賞球検出器８０で検出される。第１９入賞球検出器８０は、球を検出した信号を入賞信号として図外の制御装置に出力し、制御装置が入賞信号に対応する個数の賞球としての球を払い出すように図外の球払出機構を駆動する。つまり、第２０入賞口５１に入賞した球は、賞球の払い出しを伴い、他の入賞口における図１の開閉体ｂ；ｃを開放することなく、遊技盤２の下部から下方に排出される。
【００２９】
第１９入賞口５０から遊技盤２の裏側に排出された球は、矢印Ｘ２４で示す経路で、第２１球通路１０３を経由して第２２入賞口５３の作動体１２５の上に誘導される。第２２入賞口５３の作動体１２５の後部がその上に乗った球の重さで下方に動き、第２２入賞口５３の作動体１２５の前部が第２２入賞口５３における図１の開閉体ｂ；ｃを開放する。第２２入賞口５３の作動体１２５の後部が下方に動くと、その上に乗った球は、矢印Ｘ２５で示す経路で、第２２球通路１０４に排出される。第１９入賞口５０に入賞した球は、第２１球通路１０３に設けられた第１８入賞球検出器７９で検出される。第１８入賞球検出器７９は、球を検出した信号を入賞信号として図外の制御装置に出力し、制御装置が入賞信号に対応する個数の賞球としての球を払い出すように図外の球払出機構を駆動する。つまり、第１９入賞口５０に入賞した球は、賞球の払い出しを伴い、第２２入賞口５３における図１の開閉体ｂ；ｃを開放し、遊技盤２の下部から下方に排出される。第２２入賞口５３から遊技盤２の裏側に排出された球は、矢印Ｘ２６で示す経路で、第２３球通路１０５に排出される。第２２入賞口５３に入賞した球は、第２３球通路１０５に設けられた第２１入賞球検出器８２で検出される。第２１入賞球検出器８２は、球を検出した信号を入賞信号として図外の制御装置に出力し、制御装置が入賞信号に対応する個数の賞球としての球を払い出すように図外の球払出機構を駆動する。つまり、第２２入賞口５３に入賞した球は、賞球の払い出しを伴い、他の入賞口における図１の開閉体ｂ；ｃを開放することなく、遊技盤２の下部から下方に排出される。
【００３０】
図５を参照し、可変入賞部品１１１の構造について説明する。可変入賞部品１１１は、図１における第６乃至第１１入賞部品２６乃至３１に相当するものであって、共通部品として、部品基盤１１２、前化粧盤１１３、開閉体１１４；１１５、開閉軸１１６；１１７、保持体１１８、作動軸１１９、止輪１２０、止ねじ１２１を備え、非共通部品として、作動体１２２；１２３；１２４；１２５を備える。そして、可変入賞部品１１１が組み立てられる場合、可変入賞部品１１１の種類によって、作動体１２２乃至１２５が１つずつ使い分けられる。作動体１２２が使用された可変入賞部品１１１は、図１における第８入賞部品２８に相当する。作動体１２３が使用された可変入賞部品１１１は、図１における第９入賞部品２９に相当する。作動体１２４が使用された可変入賞部品１１１は、図１における第６入賞部品２６に相当する。作動体１２５が使用された可変入賞部品１１１は、図１における第７入賞部品２７、第１０入賞部品３０、第１１入賞部品３１に相当する。
【００３１】
部品基盤１１２は、板状であって、球入口１２６、軸受部１２７；１２８、化粧取付孔部１２９、盤取付孔部１３０、作動収容部１３１を備える。球入口１２６は、部品基盤１１２に前後方向への貫通孔として形成される。軸受部１２７；１２８は、開閉軸１１６；１１７を個別に取り付けるものであって、部品基盤１１２の前面から内部に窪む軸受孔を備え、部品基盤１１２に設けられる。化粧取付孔部１２９は、前化粧盤１１３を取り付けるものであって、前後方向への貫通孔として、部品基盤１１２に設けられる。部品基盤１１２の右下部にも化粧取付孔部１２９が設けられるが、該化粧取付孔部１２９の図示は省略されている。
【００３２】
盤取付孔部１３０は、可変入賞部品１１１を図７のｄ図の遊技基盤２Ａに取り付けるものであって、前後方向への貫通孔として、部品基盤１１２に設けられる。作動収容部１３１は、作動体１２２乃至１２５を収容するものであって、球入口１２６を縁取るように、部品基盤１１２の裏面から裏側に突出した筒状である。作動収容部１３１における左右一対の壁には、軸受孔１３４；１３５、止取付孔１３６；１３７、球逃避部１３８；１３９が設けられる。球逃避部１３８；１３９の上部を囲む左右一対の壁の後部は、保護壁１４０で互いに繋がれる。作動収容部１３１における底壁は、球排出部１４１を構成する。球排出部１４１は、球入口１２６から作動体１２２乃至１２５の下球排出部１６７を経由して裏側に排出された球を裏側に排出する斜面として構成される。
【００３３】
前化粧盤１１３は、板状であって、傘部１４３、軸受孔部１４４；１４５、球導入部１４６、受止部１４７；１４８、取付孔部１４９を備える。傘部１４３は、開閉体１１４；１１５が閉じた場合において、球が開閉体１１４；１１５の間から球入口１２６の側に取り込まれることがないように、球入口１２６への球の入賞を阻止するものであって、前化粧盤１１３の上部に位置し、前化粧盤１１３の裏面から裏側に突出する。軸受孔部１４４；１４５は、開閉軸１１６；１１７を個別に取り付けるものであって、裏側から内部に窪む軸受孔を備え、前化粧盤１１３の裏面から裏側に突出するように、前化粧盤１１３の裏面に設けられる。
【００３４】
球導入部１４６は、開いた開閉体１１４；１１５の間から開閉体１１４；１１５を閉じて球入口１２６の側に落下した球を、球入口１２６に誘導するものであって、前化粧盤１１３の下部に位置し、左右一対の壁と底壁とによって囲まれた形態である。球導入部１４６における左右一対の壁は、前化粧盤１１３の裏面から裏側に突出する。球導入部１４６の底壁は、左右一対の壁の下部に繋がるように前化粧盤１１３の裏面から裏側に突出する。底壁における球と接触する上面は、球を前化粧盤１１３から裏側に誘導する斜面を形成する。
【００３５】
受止部１４７は、左の開閉体１１４が閉じる場合において、開閉体１１４の被受止部１５３を受け止めることによって、開閉体１１４の閉じ過ぎを防止するものであって、球導入部１４６における左の壁から上部に突出するように、前化粧盤１１３の裏面から裏側に突出する。受止部１４８は、右の開閉体１１５が閉じる場合において、開閉体１１５の被受止部１５６を受け止めることによって、開閉体１１５の閉じ過ぎを防止するものであって、球導入部１４６における右の壁から上部に突出するように、前化粧盤１１３の裏面から裏側に突出する。取付孔部１４９は、前化粧盤１１３を部品基盤１１２に取り付ける止ねじ１２１を締結する筒状であって、前化粧盤１１３の裏面から裏側に突出する。
【００３６】
前化粧盤１１３が部品基盤１１２に取り付けられる場合、前化粧盤１１３の裏面が、部品基盤１１２の側に向けられる。傘部１４３が、開閉体１１４；１１５の前側から開閉体１１４；１１５における上部の間に挿入される。開閉体１１４；１１５が、球導入部１４６よりも上部に配置されるように、前化粧盤１１３と部品基盤１１２との間に取り込まれる。軸受孔部１４４；１４５が、開閉軸１１６；１１７における開閉体１１４；１１５よりも前側に突出した部分に個別に嵌め込まれる。その後、止ねじ１２１が部品基盤１１２の裏側から盤取付孔部１３０を経由して取付孔部１４９に締結される。これによって、前化粧盤１１３が部品基盤１１２に取り付けられる。
【００３７】
開閉体１１４；１１５は、図１の開閉体ｂ；ｃに相当するものであって、互いに左右で対を成す。開閉体１１４の下部には、軸受孔１５２、被受止部１５３、錘１５４が設けられる。軸受孔１５２は、前後方向への貫通孔として形成される。被受止部１５３は、開閉体１１４の下部から下方に突出する突起として形成される。錘１５４は、開閉体１１４の裏面から内部に埋め込まれる。開閉体１１４が部品基盤１１２に取り付けられる場合、開閉体１１４が左に位置するように部品基盤１１２の前側に配置され、開閉軸１１６が開閉体１１４の前側から軸受孔１５２を経由して軸受部１２７に嵌め込まれる。開閉体１１４では、錘１５４が開閉体１１４の上部を右から左に回転する重さを備えて配置されているので、開閉体１１４が部品基盤１１２に取り付けられた場合、開閉体１１４は開閉軸１１６を中心として部品基盤１１２の前面に沿って左右方向に回転可能であるが、開閉体１１４に回転を阻止する力が作用しない状態では、開閉体１１４が開閉軸１１６を中心として左に回転して開いた状態になる。
【００３８】
開閉体１１５の下部には、軸受孔１５５、被受止部１５６、錘１５７が設けられる。軸受孔１５５は、前後方向への貫通孔として形成される。被受止部１５６は、開閉体１１５の下部から下方に突出する突起として形成される。錘１５７は、開閉体１１５の裏面から内部に埋め込まれる。開閉体１１５が部品基盤１１２に取り付けられる場合、開閉体１１５が右に位置するように部品基盤１１２の前側に配置され、開閉軸１１７が開閉体１１５の前側から軸受孔１５５を経由して軸受部１２８に嵌め込まれる。開閉体１１５では、錘１５７が開閉体１１５の上部を左から右に回転する重さを備えて配置されているので、開閉体１１５が部品基盤１１２に取り付けられた場合、開閉体１１５は開閉軸１１７を中心として部品基盤１１２の前面に沿って左右方向に回転可能であるが、開閉体１１５に回転を阻止する力が作用しない状態では、開閉体１１５が開閉軸１１７を中心として右に回転して開いた状態になる。開閉軸１１６；１１７は、開閉体１１４；１１５の前後方向の寸法よりも前後方向に長い丸棒として構成される。
【００３９】
保持体１１８は、作動体１２２乃至１２５の後部が球の重さで前部よりも下方に位置するように、作動体１２２乃至１２５が傾斜した場合に、それ以上、作動体１２２乃至１２５が傾斜しないように、受け止めるとともに、作動体１２２乃至１２５の永久磁石１７３が吸着されることによって、作動体１２２乃至１２５を傾斜した状態に保つ強磁性体により構成される。保持体１１８の中央部には、くびれ部１５９が設けられる。保持体１１８の両端部には、挿入部１６０；１６１が設けられる。くびれ部１５９および挿入部１６０；１６１の外径は、保持体１１８の両端部の外径よりも細い。
【００４０】
保持体１１８が部品基盤１１２に取り付けられる場合、保持体１１８が作動体１２２乃至１２５よりも下部に配置されて部品基盤１１２に取り付けられる。それには、挿入部１６０が作動収容部１３１の内側から止取付孔１３６に嵌め込まれ、挿入部１６１が作動収容部１３１の内側から止取付孔１３７に嵌め込まれる。挿入部１６０；１６１が止取付孔１３６；１３７に嵌め込まれる場合、作動収容部１３１の左壁および右壁における止取付孔１３６；１３７の周囲の部分が外側に撓んだ後に内側に復元する。保持体１１８におけるくびれ部１５９と挿入部１６０；１６１との間の両端部が復元した作動収容部１３１の左壁および右壁を受け止める。よって、保持体１１８が作動収容部１３１の左壁および右壁から脱落しないように作動収容部１３１に取り付けられ、くびれ部１５９が作動収容部１３１の内部に配置される。
【００４１】
作動軸１１９は、作動体１２２乃至１２５の左右方向の寸法よりも左右方向に長い丸棒として構成される。作動軸１１９の一端部には、頭部１６３が設けられる。頭部１６３は、作動軸１１９の直径および軸受孔１７１の直径よりも大きな外径を有する。作動軸１１９の他端部には、溝１６４が設けられる。溝１６４は、止輪１２０を取り付けるものであって、作動軸１１９の外周面から内部に窪む形状である。止輪１２０は、環状の一部が除去された形状である。作動軸１１９が部品基盤１１２に取り付けられる場合、作動軸１１９の他端部が作動収容部１３１の外側から軸受孔１３４と作動体１２２乃至１２５の軸受孔１７１および軸受孔１３５を順に経由して作動収容部１３１に嵌め込まれ、作動収容部１３１から外側に突出した溝１６４に止輪１２０が装着され、作動軸１１９が止輪１２０および頭部１６３で作動収容部１３１に脱落しないように取り付けられて作動体１２２乃至１２５を部品基盤１１２に上下方向に回転可能に支持する。
【００４２】
作動体１２２は、作動収容部１３１に収容され、開閉体１１４；１１５を開閉するための部材を構成するものであって、上球排出部１６６、下球排出部１６７、球誘導突起１６８、受止部１６９；１７０、軸受孔１７１、被押下部１７２、永久磁石１７３を備える。上球排出部１６６は、上球排出部１６６の上方から落下した球を受け止めて左右の一側方に排出するような斜面として、作動体１２２の後上部に形成される。下球排出部１６７は、開いた開閉体１１４；１１５の間から開閉体１１４；１１５を閉じて球入口１２６の側に落下した球を、球入口１２６から裏側に誘導するものであって、作動体１２２の下部に形成される。球誘導突起１６８は、球を作動体１２２の上面から上球排出部１６６に誘導するものであって、作動体１２２の左縁部から上方に突出するように作動体１２２の左縁部に設けられる。
【００４３】
受止部１６９は、開閉体１１４の被受止部１５３を上方から下方に押し下げて開閉体１１４を閉じるものであって、作動体１２２乃至１２５の前上左部に設けられる。受止部１７０は、開閉体１１５の被受止部１５６を上方から下方に押し下げて開閉体１１５を閉じるものであって、作動体１２２乃至１２５の前上右部に設けられる。軸受孔１７１は、上球排出部１６６と受止部１６９；１７０との間に位置し、作動体１２２乃至１２５に左右方向への貫通孔として形成される。被押下部１７２は、上球排出部１６６よりも下部に位置し、作動体１２２乃至１２５の後部から側方に突出する。永久磁石１７３は、球が上球排出部１６６の上に落下することによって、作動体１２２乃至１２５の後部が前部よりも下がるように、作動体１２２乃至１２５が傾斜した場合、保持体１１８を磁力で吸着し、該作動体１２２乃至１２５の傾斜した姿勢を保持するものであって、作動体１２２乃至１２５の後下部に埋め込まれて設けられる。
【００４４】
作動体１２３は、上球排出部１６６、下球排出部１６７、球誘導突起１６８、受止部１６９；１７０、軸受孔１７１、永久磁石１７３を備える点において作動体１２２と同じであるが、被押下部１７２を備えていない点で作動体１２２と異なる。
【００４５】
作動体１２４は、上球排出部１６６、下球排出部１６７、球誘導突起１６８、受止部１６９；１７０、軸受孔１７１、永久磁石１７３、被押下部１７２を備える点において作動体１２２と同じであるが、上球排出部１６６の球を排出する方向、球誘導突起１６８が設けられる位置、被押下部１７２の突出する方向が、作動体１２２と異なる。具体的には、作動体１２２の上球排出部１６６が球を左から右に排出する斜面として構成されるのに対し、作動体１２４の上球排出部１６６が球を右から左に排出する斜面として構成される。作動体１２２では球誘導突起１６８が作動体１２２の左縁部に設けられるのに対し、作動体１２４では球誘導突起１６８が作動体１２４の右縁部から上方に突出するように作動体１２４の右縁部に設けられる。作動体１２２では被押下部１７２が作動体１２２から左に突出するのに対し、作動体１２４では被押下部１７２が作動体１２４から右に突出する。
【００４６】
作動体１２５は、上球排出部１６６、下球排出部１６７、球誘導突起１６８、受止部１６９；１７０、軸受孔１７１、永久磁石１７３を備え、被押下部１７２を備えていない点において作動体１２３と同じであるが、上球排出部１６６の球を排出する方向、球誘導突起１６８が設けられる位置が、作動体１２３と異なる。つまり、作動体１２３の上球排出部１６６が球を左から右に排出する斜面として構成されるのに対し、作動体１２５の上球排出部１６６が球を右から左に排出する斜面として構成される。
【００４７】
作動体１２２乃至１２５のいずれかが部品基盤１１２に取り付けられる場合、上球排出部１６６が上になり、下球排出部１６７および永久磁石１７３が下になり、受止部１６９；１７０が前になり、被押下部１７２が後側になるように、作動体１２２乃至１２５のいずれかが作動収容部１３１の内部に収容される。被押下部１７２が存在する場合、被押下部１７２は、球逃避部１３８；１３９を経由して作動収容部１３１から左外側または右外側に突出する。その後、作動軸１１９が軸受孔１３４；１３５と軸受孔１７１との双方に嵌め込まれ、作動体１２２乃至１２５のいずれかが部品基盤１１２に取り付けられる。作動体１２２乃至１２５は、軸受孔１７１を境とする前部が後部よりも重い重量配分のもと構成されている。よって、作動体１２２乃至１２５が部品基盤１１２に取り付けられた場合、作動体１２２乃至１２５の前部が作動軸１１９を中心として下方に回転し、下球排出部１６７の前部が球入口１２６の下縁部に上方から受け止められる。
【００４８】
作動体１２２が部品基盤１１２に取り付けられることによって、図６のａ図に示す可変入賞部品１１１Ａが構成される。可変入賞部品１１１Ａは、図１の第８入賞部品２８に相当する。作動体１２３が部品基盤１１２に取り付けられることによって、図６のｂ図に示す可変入賞部品１１１Ｂが構成される。可変入賞部品１１１Ｂは、図１の第９入賞部品２９に相当する。作動体１２４が部品基盤１１２に取り付けられることによって、図６のｃ図に示す可変入賞部品１１１Ｃが構成される。可変入賞部品１１１Ｃは、図１の第６入賞部品２６に相当する。作動体１２５が部品基盤１１２に取り付けられることによって、図６のｄ図に示す可変入賞部品１１１Ｄが構成される。可変入賞部品１１１Ｄは、図１の第７入賞部品２７、第１０入賞部品３０、第１１入賞部品３１に相当する。
【００４９】
図７を参照し、可変入賞部品１１１；１１１Ａ乃至１１１Ｄの作用について、作動体１２２を用いた可変入賞部品１１１Ａの作用を例として説明する。図７のｂ図において、開閉体１１４；１１５が開いた状態では、作動体１２２の前部が作動軸１１９を中心として下方に回転するのに伴い、受止部１６９；１７０が開閉体１１４；１１５における後側の被受止部１５３；１５６を押し下げる。これによって、図７のａ図に示すように、開閉体１１４が開閉軸１１６を中心として左から右に回転して閉じられ、開閉体１１５が開閉軸１１７を中心として右から左に回転して閉じられ、下球排出部１６７の前部が球入口１２６の下縁部に上方から受け止められる。開閉体１１４；１１５が閉じられた場合、受止部１６９；１７０と被受止部１５３；１５６とが互いに左右方向で対向して掛け止められ、開閉体１１４；１１５が開放されない。また、開閉体１１４；１１５の上部が傘部１４３と左右方向で対向し、球が開閉体１１４；１１５の間から球入口１２６の側に取り込まれない。
【００５０】
前記のように開閉体１１４；１１５が閉じられた状態において、図７のｃ図に示すように、球が矢印Ｘ３１で示すように作動体１２２の後部に落下すると、作動体１２２の前部が作動軸１１９を中心として矢印Ｘ３２で示す上方に回転し、作動体１２２の永久磁石１７３が図７のｄ図に示すように保持体１１８に吸着される。上記作動体１２２の前部の上方への回転に伴い、図７のａ図に示す受止部１６９；１７０と被受止部１５３；１５６との左右方向での対向が解除される。すると、図７のｂ図に示すように、開閉体１１４；１１５が錘１５４；１５７の重さによって開閉軸１１６；１１７を中心として左右に開き、その開いた形態が錘１５４；１５７の重さによって保持される。開閉体１１４；１１５が開放されると、開閉体１１４；１１５における被受止部１５３；１５６の側の下部が互いに近づく。この近づいた開閉体１１４；１１５の下部間の間隔Ｈ１は、１個の球Ｐの直径Ｄ１よりも小さい（Ｈ１＜Ｄ１）。
【００５１】
開閉体１１４；１１５が開いた状態において、球が開閉体１１４；１１５の間に入って開閉体１１４；１１５の下部に到達すると、球が開閉体１１４；１１５の下部を押し下げ、開閉体１１４；１１５が開閉軸１１６；１１７を中心として閉じる。これに伴い、図７のａ図に示すように、開閉体１１４；１１５の下部が互いに離れる。この離れた開閉体１１４；１１５の下部間の間隔が、１個の球Ｐ（図７のｂ図参照）の直径よりも大きくなる。したがって、図７のｄ図に示すように、球Ｐが開閉体１１４；１１５の下部の間を落下して下球排出部１６７の前部に受け止められる。すると、下球排出部１６７に受け止められた球の重さによって、保持体１１８と永久磁石１７３との吸着が解除され、作動体１２２の前部が作動軸１１９を中心として矢印Ｘ３３で示す下方に回転する。
【００５２】
これによって、受止部１６９；１７０が図７のｂ図に示す位置から図７のａ図に示す位置へと下降するのに伴い、図７のａ図に示すように、受止部１６９；１７０が被受止部１５３；１５６と対向し、開閉体１１４；１１５が閉じられた形態に保持され、図７のｃ図に示すように、下球排出部１６７が球入口１２６の下縁部に上方から受け止められ、作動体１２２の下方への回転が停止する。その後、下球排出部１６７に受け止められた球は、下球排出部１６７から遊技基盤２Ａの裏側の第１１球通路９３に排出される。
【００５３】
図８を参照し、可変入賞部品２０１の構造について説明する。可変入賞部品２０１は、図１における第４入賞部品２４および第５入賞部品２５に相当するものであって、共通部品として、部品基盤２０２、前化粧盤２０３、開閉体２０４；２０５、開閉軸２０６；２０７、保持体２０８、作動軸２０９、止輪２１０、止ねじ２１１を備え、非共通部品として、作動体２１２；２１３を備える。そして、可変入賞部品２０１が組み立てられる場合、可変入賞部品２０１の種類によって、作動体２１２；２１３が１つずつ使い分けられる。作動体２１２が使用された可変入賞部品２０１は、図１における第５入賞部品２５に相当する。作動体２１３が使用された可変入賞部品２０１は、図１における第４入賞部品２４に相当する。
【００５４】
部品基盤２０２は、板状であって、上球入口２１４、検出挿入孔２１５、検出掛止部２１６、上球導入部２１７、上球導出部２１８、下球入口２１９、軸受部２２０；２２１、化粧取付孔部２２２、盤取付孔部２２３、作動収容部２２４を備える。上球入口２１４は、部品基盤２０２に前後方向への貫通孔として形成される。検出挿入孔２１５は、上球入口２１４の上部に位置し、部品基盤２０２に前後方向への貫通孔として形成される。検出掛止部２１６は、検出挿入孔２１５の一側部に位置し、部品基盤２０２の裏面に設けられる。検出掛止部２１６は、部品基盤２０２の裏面から裏側に突出した弾性片と、弾性片の後部に設けられた鉤２２７とを備える。
【００５５】
上球導入部２１７は、上球入口２１４の下縁部に位置し、部品基盤２０２の前面から前側に突出する突起として、部品基盤２０２に設けられる。上球導出部２１８は、上球入口２１４の下縁部に位置し、部品基盤２０２の裏面から裏側に突出する突起として、部品基盤２０２に設けられる。上球導入部２１７の上面および上球導出部２１８の上面には、上球導入部２１７から上球導出部２１８の側に球を誘導する斜面が設けられる。下球入口２１９は、上球入口２１４よりも下部に位置し、部品基盤２０２に前後方向への貫通孔として形成される。軸受部２２０；２２１は、開閉軸２０６；２０７を個別に取り付けるものであって、部品基盤２０２の前面から内部に窪む軸受孔を備え、部品基盤２０２に設けられる。化粧取付孔部２２２は、前化粧盤２０３を取り付けるものであって、前後方向への貫通孔として、部品基盤２０２に設けられる。部品基盤２０２の右下部にも化粧取付孔部２２２が設けられるが、該化粧取付孔部２２２の図示は省略されている。
【００５６】
盤取付孔部２２３は、可変入賞部品２０１を図１０の遊技基盤２Ａに取り付けるものであって、前後方向への貫通孔として、部品基盤２０２に設けられる。作動収容部２２４は、作動体２１２を収容するものであって、下球入口２１９を縁取るように、部品基盤２０２の裏面から裏側に突出した筒状である。作動収容部２２４における左右一対の壁には、軸受孔２２８；２２９、止取付孔２３０；２３１、球逃避部２３２；２３３が設けられる。球逃避部２３２；２３３の上部を囲む左右一対の壁の後部は、保護壁２３４で互いに繋がれる。作動収容部２２４における底壁は、球排出部２３５を構成する。球排出部２３５は、上球入口２１４から作動体２１２；２１３の下球排出部２８３を経由して裏側に排出された球を裏側に排出する斜面として構成される。
【００５７】
前化粧盤２０３は、板状であって、上球入口２３７、入口突起２３８；２３９、軸受孔部２４０；２４１、球導入部２４２、受止部２４３；２４４、取付孔部２４５を備える。上球入口２３７は、球を上から下に取り入れる部分である。入口突起２３８；２３９は、１個の球が上から下に通過可能であるものの２個の球が横に並んで通過不可能な寸法に、上球入口２３７の左右方向の横幅を仕切る突起であって、前化粧盤２０３の上部に位置し、前化粧盤２０３の裏面から裏側に突出する。軸受孔部２４０；２４１は、開閉軸２０６；２０７を個別に取り付けるものであって、裏側から内部に窪む軸受孔を備え、前化粧盤２０３の裏面から裏側に突出するように、前化粧盤２０３の裏面に設けられる。
【００５８】
球導入部２４２は、開いた開閉体２０４；２０５の間から開閉体２０４；２０５を閉じて下球入口２１９の側に落下した球を、下球入口２１９に誘導するものであって、前化粧盤２０３の下部に位置し、左右一対の壁と底壁とによって囲まれた形態である。球導入部２４２における左右一対の壁は、前化粧盤２０３の裏面から裏側に突出する。球導入部２４２の底壁は、左右一対の壁の下部に繋がるように前化粧盤２０３の裏面から裏側に突出する。底壁における球と接触する上面は、球を前化粧盤２０３から裏側に誘導する斜面を形成する。受止部２４３は、左の開閉体２０４が閉じる場合において、開閉体２０４の被受止部２６９を受け止めることによって、開閉体２０４の閉じ過ぎを防止するものであって、球導入部２４２における左の壁から上部に突出するように、前化粧盤２０３の裏面から裏側に突出する。受止部２４４は、右の開閉体２０５が閉じる場合において、開閉体２０５の被受止部２７２を受け止めることによって、開閉体２０５の閉じ過ぎを防止するものであって、球導入部２４２における右の壁から上部に突出するように、前化粧盤２０３の裏面から裏側に突出する。取付孔部２４５は、前化粧盤２０３を部品基盤２０２に取り付ける止ねじ２１１を締結する筒状であって、前化粧盤２０３の裏面から裏側に突出する。
【００５９】
前化粧盤２０３が部品基盤２０２に取り付けられる場合、前化粧盤２０３の裏面が、部品基盤２０２の側に向けられる。入口突起２３８；２３９が、検出挿入孔２１５よりも上部に配置される。開閉体２０４；２０５が、球導入部２４２よりも上部に配置されるように、前化粧盤２０３と部品基盤２０２との間に取り込まれる。軸受孔部２４０；２４１が、開閉軸２０６；２０７における開閉体２０４；２０５よりも前側に突出した部分に個別に嵌め込まれる。その後、止ねじ２１１が部品基盤２０２の裏側から盤取付孔部２２３を経由して取付孔部２４５に締結される。これによって、前化粧盤２０３が部品基盤２０２に取り付けられる。
【００６０】
開閉体２０４；２０５は、図１の開閉体ｂ；ｃに相当するものであって、互いに左右で対を成す。開閉体２０４の下部には、軸受孔２６８、被受止部２６９、錘２７０が設けられる。軸受孔２６８は、前後方向への貫通孔として形成される。被受止部２６９は、開閉体２０４の下部から下方に突出する突起として形成される。錘２７０は、開閉体２０４の裏面から内部に埋め込まれる。開閉体２０５の下部には、軸受孔２７１、被受止部２７２、錘２７３が設けられる。軸受孔２７１は、前後方向への貫通孔として形成される。被受止部２７２は、開閉体２０５の下部から下方に突出する突起として形成される。錘２７３は、開閉体２０５の裏面から内部に埋め込まれる。開閉体２０４が部品基盤２０２に取り付けられる場合、開閉体２０４が左に位置するように部品基盤２０２の前側に配置され、開閉軸２０６が開閉体２０４の前側から軸受孔２６８を経由して軸受部２２０に嵌め込まれる。開閉体２０４では、錘２７０が開閉体２０４の上部を右から左に回転する重さを備えて配置されているので、開閉体２０４が部品基盤２０２に取り付けられた場合、開閉体２０４は開閉軸２０６を中心として部品基盤２０２の前面に沿って左右方向に回転可能であるが、開閉体２０４に回転を阻止する力が作用しない状態では、開閉体２０４が開閉軸２０６を中心として左に回転して開いた状態になる。
【００６１】
開閉体２０５の下部には、軸受孔２７１、被受止部２７２、錘２７３が設けられる。軸受孔２７１は、前後方向への貫通孔として形成される。被受止部２７２は、開閉体２０５の下部から下方に突出する突起として形成される。錘２７３は、開閉体２０５の裏面から内部に埋め込まれる。開閉体２０５が部品基盤２０２に取り付けられる場合、開閉体２０５が右に位置するように部品基盤２０２の前側に配置され、開閉軸２０７が開閉体２０５の前側から軸受孔２７１を経由して軸受部２２１に嵌め込まれる。開閉体２０５では、錘２７３が開閉体２０５の上部を左から右に回転する重さを備えて配置されているので、開閉体２０５が部品基盤２０２に取り付けられた場合、開閉体２０５は開閉軸２０７を中心として部品基盤２０２の前面に沿って左右方向に回転可能であるが、開閉体２０５に回転を阻止する力が作用しない状態では、開閉体２０５が開閉軸２０７を中心として右に回転して開いた状態になる。開閉軸２０６；２０７は、開閉体２０４；２０５の前後方向の寸法よりも前後方向に長い丸棒として構成される。
【００６２】
保持体２０８は、球の重さで作動体２１２；２１３の後部が前部よりも下方に位置するように、作動体２１２；２１３が傾斜した場合に、それ以上、作動体２１２；２１３が傾斜しないように、受け止めるとともに、作動体２１２；２１３の永久磁石２８８に吸着されることによって、作動体２１２；２１３を傾斜した状態に保つ強磁性体により構成される。保持体２０８の中央部には、くびれ部２７５が設けられる。保持体２０８の両端部には、挿入部２７６；２７７が設けられる。くびれ部２７５および挿入部２７６；２７７の外径は、保持体２０８の両端部の外径よりも細い。
【００６３】
保持体２０８が部品基盤２０２に取り付けられる場合、保持体２０８が作動体２１２；２１３よりも下部に配置されて部品基盤２０２に取り付けられる。それには、挿入部２７６が作動収容部２２４の内側から止取付孔２３０に嵌め込まれ、挿入部２７７が作動収容部２２４の内側から止取付孔２３１に嵌め込まれる。挿入部２７６；２７７が止取付孔２３０；２３１に嵌め込まれる場合、作動収容部２２４の左壁および右壁における止取付孔２３０；２３１の周囲の部分が外側に撓んだ後に内側に復元する。保持体２０８におけるくびれ部２７５と挿入部２７６；２７７との間の両端部が復元した作動収容部２２４の左壁および右壁を受け止める。よって、保持体２０８が作動収容部２２４の左壁および右壁から脱落しないように作動収容部２２４に取り付けられ、くびれ部２７５が作動収容部２２４の内部に配置される。
【００６４】
作動軸２０９は、作動体２１２の左右方向の寸法よりも左右方向に長い丸棒として構成される。作動軸２０９の一端部には、頭部２７９が設けられる。頭部２７９は、作動軸２０９の直径および軸受孔２８７の直径よりも大きな外径を有する。作動軸２０９の他端部には、溝２８０が設けられる。溝２８０は、止輪２１０を取り付けるものであって、作動軸２０９の外周面から内部に窪む形状である。止輪２１０は、環状の一部が除去された形状である。作動軸２０９が部品基盤２０２に取り付けられる場合、作動軸２０９の他端部が作動収容部２２４の外側から軸受孔２２８と作動体１２２乃至１２５の軸受孔２８７および軸受孔２２９を順に経由して作動収容部２２４に嵌め込まれ、作動収容部２２４から外側に突出した溝２８０に止輪２１０が装着され、作動軸２０９が止輪２１０および頭部２７９で作動収容部２２４に脱落しないように取り付けられて作動体２１２；２１３を部品基盤２０２に上下方向に回転可能に支持する。
【００６５】
作動体２１２は、作動収容部２２４に収容され、開閉体２０４；２０５を開閉するための部材を構成するものであって、上球排出部２８２、下球排出部２８３、球誘導突起２８４、受止部２８５；２８６、軸受孔２８７、永久磁石２８８を備える。上球排出部２８２は、上球排出部２８２の上方から落下した球を受け止めて左右の一側方に排出するような斜面として、作動体２１２の後上部に形成される。下球排出部２８３は、開いた開閉体２０４；２０５の間から開閉体２０４；２０５を閉じて上球入口２１４の側に落下した球を、上球入口２１４から裏側に誘導するものであって、作動体２１２の下部に形成される。
球誘導突起２８４は、球を作動体２１２の上面から上球排出部２８２に誘導するものであって、作動体２１２の左縁部から上方に突出するように作動体２１２の左縁部に設けられる。
【００６６】
受止部２８５は、開閉体２０４の被受止部２６９を上方から下方に押し下げて開閉体２０４を閉じるものであって、作動体２１２の前上左部に設けられる。受止部２８６は、開閉体２０５の被受止部２７２を上方から下方に押し下げて開閉体２０５を閉じるものであって、作動体２１２の前上右部に設けられる。軸受孔２８７は、上球排出部２８２と受止部２８５；２８６との間に位置し、作動体２１２に左右方向への貫通孔として形成される。永久磁石２８８は、球が上球排出部２８２の上に落下することによって、作動体２１２の後部が前部よりも下がるように、作動体２１２が傾斜した場合、保持体２０８を磁力で吸着し、該作動体２１２の傾斜した姿勢を保持するものであって、作動体２１２の後下部に埋め込まれて設けられる。
【００６７】
作動体２１３は、上球排出部２８２、下球排出部２８３、球誘導突起２８４、受止部２８５；２８６、軸受孔２８７、永久磁石２８８を備える点において作動体２１２と同じであるが、上球排出部２８２の球を排出する方向、球誘導突起２８４が設けられる位置が、作動体２１２と異なる。つまり、作動体２１２の上球排出部２８２が球を左から右に排出する斜面として構成されるのに対し、作動体２１３の上球排出部２８２が球を右から左に排出する斜面として構成される。
【００６８】
作動体２１２；２１３のいずれかが部品基盤２０２に取り付けられる場合、上球排出部２８２が上になり、下球排出部２８３および永久磁石２８８が下になり、受止部２８５；２８６が前になるように、作動体２１２；２１３のいずれかが作動収容部２２４の内部に収容される。その後、作動軸２０９が軸受孔２２８；２２９と軸受孔２８７との双方に嵌め込まれ、作動体２１２；２１３のいずれかが部品基盤２０２に取り付けられる。作動体２１２；２１３は、軸受孔２８７を境とする前部が後部よりも重い重量配分のもと構成されている。よって、作動体２１２；２１３が部品基盤２０２に取り付けられた場合、作動体２１２；２１３の前部が作動軸２０９を中心として下方に回転し、下球排出部２８３の前部が下球入口２１９の下縁部に上方から受け止められる。
【００６９】
作動体２１２が部品基盤２０２に取り付けられることによって、図９のａ図に示す可変入賞部品２０１Ａが構成される。可変入賞部品２０１Ａは、図１の第５入賞部品２５に相当する。作動体２１３が部品基盤２０２に取り付けられることによって、図９のｂ図に示す可変入賞部品２０１Ｂが構成される。可変入賞部品２０１Ｂは、図１の第４入賞部品２４に相当する。
【００７０】
図１０を参照し、可変入賞部品２０１；２０１Ａ乃至２０１Ｂの作用について、作動体２１２を用いた可変入賞部品２０１Ａの作用を例として説明する。図１０のｂ図において、開閉体２０４；２０５が開いた状態において、作動体２１２の前部が作動軸２０９を中心として下方に回転するのに伴い、受止部２８５；２８６が開閉体２０４；２０５における後側の被受止部２６９；２７２を押し下げる。これによって、図１０のａ図に示すように、開閉体２０４が開閉軸２０６を中心として左から右に回転して閉じられ、開閉体２０５が開閉軸２０７を中心として右から左に回転して閉じられ、下球排出部２８３の前部が下球入口２１９の下縁部に上方から受け止められる。開閉体２０４；２０５が閉じられた場合、受止部２８５；２８６と被受止部２６９；２７２とが互いに左右方向で対向して掛け止められ、開閉体２０４；２０５が開放されない。また、開閉体２０４；２０５の上部が上球導入部２１７と左右方向で対向し、球が開閉体２０４；２０５の間から下球入口２１９の側に取り込まれない。
【００７１】
前記のように開閉体２０４；２０５が閉じられた状態において、図１０のｃ図に示すように、球が矢印Ｘ４１で示すように作動体２１２の後部に落下すると、作動体２１２の前部が作動軸２０９を中心として矢印Ｘ４２で示す上方に回転し、作動体２１２の永久磁石２８８が図１０のｄ図に示すように保持体２０８に吸着される。上記作動体２１２の前部の上方への回転に伴い、図１０のａ図に示す受止部２８５；２８６と被受止部２６９；２７２との左右方向での対向が解除される。すると、図１０のｂ図に示すように、開閉体２０４；２０５が錘２７０；２７３の重さによって開閉軸２０６；２０７を中心として左右に開き、その開いた形態が錘２７０；２７３の重さによって保持される。開閉体２０４；２０５が開放されると、開閉体２０４；２０５における被受止部２６９；２７２の側の下部が互いに近づく。この近づいた開閉体２０４；２０５の下部間の間隔Ｈ２は、１個の球Ｐの直径Ｄ１よりも小さい（Ｈ２＜Ｄ１）。
【００７２】
開閉体２０４；２０５が開いた状態において、球が開閉体２０４；２０５の間に入って開閉体２０４；２０５の下部に到達すると、球が開閉体２０４；２０５の下部を押し下げ、開閉体２０４；２０５が開閉軸２０６；２０７を中心として閉じる。これに伴い、図１０のａ図に示すように、開閉体２０４；２０５の下部が互いに離れる。この離れた開閉体２０４；２０５の下部間の間隔が、１個の球Ｐ（図１０のｂ図参照）の直径よりも大きくなる。したがって、図１０のｄ図に仮想線で示すように、球Ｐが開閉体２０４；２０５の下部の間を落下して下球排出部２８３の前部に受け止められる。すると、下球排出部２８３に受け止められた球の重さによって、保持体２０８と永久磁石２８８との吸着が解除され、作動体２１２の前部が作動軸２０９を中心として矢印Ｘ４３で示す下方に回転する。
【００７３】
これによって、受止部２８５；２８６が図１０のｂ図に示す位置から図１０のａ図に示す位置へと下降するのに伴い、図１０のａ図に示すように、受止部２８５；２８６が被受止部２６９；２７２と対向し、開閉体２０４；２０５が閉じられた形態に保持され、図１０のｃ図に示すように、下球排出部２８３が下球入口２１９の下縁部に上方から受け止められ、作動体２１２の下方への回転が停止する。その後、下球排出部２８３に受け止められた球は、下球排出部２８３から遊技基盤２Ａの裏側の第１６球通路９８に排出される。
【００７４】
図１１を参照し、第３入賞部品２３の構造について説明する。第３入賞部品２３は、部品基盤２９１の前部に第３乃至第１２入賞口３４乃至４３を備え、部品基盤２９１の裏部に昇降籠２９２、第１レバー２９３、第２レバー２９４を備える。昇降籠２９２は、第６入賞口３７から裏側に排出された球を受け取った後に上側に排出する。昇降籠２９２には、第１レバー２９３の一端部および第２レバー２９４の一端部が連結される。第１レバー２９３の中間部は、部品基盤２９１に、レバー軸２９５を中心として上下方向に回転可能に取り付けられる。第２レバー２９４の中間部は、部品基盤２９１に、レバー軸２９６を中心として上下方向に回転可能に取り付けられる。第１レバー２９３の他端部には、錘２９７が設けられる。第２レバー２９４の他端部には、錘２９８が設けられる。
【００７５】
錘２９７；２９８の重さと第１レバー２９３のレバー軸２９５から他端部までの重さと第２レバー２９４のレバー軸２９６から他端部までの重さとを合計した重さは、昇降籠２９２の重さと第１レバー２９３のレバー軸２９５から一端部までの重さと第２レバー２９４のレバー軸２９６から一端部までの重さとを合計した重さよりも重く、１個の球の重さよりも軽い。よって、昇降籠２９２に球が入っていない場合、昇降籠２９２と第１レバー２９３の一端部および第２レバー２９４の一端部が矢印Ｘ５１で示す方向に上昇しかつ第１レバー２９３の他端部および第２レバー２９４の他端部が矢印Ｘ５２で示す方向に下降し、昇降籠２９２に１個の球が入った場合、昇降籠２９２と第１レバー２９３の一端部および第２レバー２９４の一端部が矢印Ｘ５２で示す方向に下降しかつ第１レバー２９３の他端部および第２レバー２９４の他端部が矢印Ｘ５１で示す方向に上昇する。
【００７６】
図１２を参照し、第３入賞部品２３の可変入賞口３０１の構造について説明する。図１２のａ図において、可変入賞口３０１は、図１の第８乃至第１１入賞口３９乃至４２に相当するものであって、部品基盤２９１に球入口３０２を前後方向への貫通孔として備える。部品基盤２９１には、開閉収容部３０３が設けられる。開閉収容部３０３は、球入口３０２の周縁から裏側に突出し、前側に開口し、後側と左右側および上下側に閉鎖された、箱形である。開閉収容部３０３の後下部には、球出口３０４が、球Ｐを前側から後側下部に向けて排出し得るように、形成される。開閉収容部３０３における後壁には、受止部３０５が、当該後壁の前面から前側に突出する突起として設けられる。
【００７７】
開閉収容部３０３には、開閉体３０６が設けられる。開閉体３０６は、図１の開閉体ａに相当するものであって、開閉軸３０７を中心として前後方向に回転可能に取り付けられる。開閉軸３０７の両端部は、開閉収容部３０３における左右壁に支持される。開閉体３０６には、錘３０８、被受止部３０９、閉鎖支持部３１０が設けられる。錘３０８は、開閉体３０６の開閉軸３０７よりも一端部の側に位置し、開閉体３０６の内部に埋め込まれる。被受止部３０９は、開閉体３０６の他端部から裏側に突出する突起として開閉体３０６の他端部に設けられる。閉鎖支持部３１０は、開閉体３０６の開閉軸３０７と被受止部３０９との間における一側部から裏側に突出する突起として開閉体３０６の開閉軸３０７と被受止部３０９との間における一側部に設けられる。
【００７８】
錘３０８の重さと開閉体３０６の開閉軸３０７から一端部までの重さとを合計した重さは、開閉体３０６の開閉軸３０７から他端部までの重さと被受止部３０９の重さと閉鎖支持部３１０の重さとを合計した重さよりも重く、開閉体３０６の開閉軸３０７から他端部までの重さと被受止部３０９の重さと閉鎖支持部３１０の重さとを合計した重さと１個の球の重さとを合計した重さよりも軽い。よって、開閉体３０６が開閉軸３０７で開閉収容部３０３に取り付けられた場合、開閉体３０６の一端部が開閉軸３０７を中心として前後方向に回転可能であるが、開閉体３０６に回転を阻止する力が作用しない状態では、開閉体３０６の一端部が開閉軸３０７を中心として前側に回転して開閉収容部３０３から球入口３０２を経由して前側に突出し、被受止部３０９が受止部３０５の下面に下側から受け止められ、開閉体３０６の一端部がそれ以上前側に回転しないように静止される。これによって、開閉体３０６が後側から前側に開放されて前傾姿勢になり、球入口３０２に球を入れることが可能になる。
【００７９】
開閉収容部３０３の前下部には、球流入阻止壁３１２が設けられる。球流入阻止壁３１２は、図１２のａ図に示すように開いた開閉体３０６よりも下側に位置し、図１２のｂ図に示すように閉じた開閉体３０６よりも前側に位置する。球流入阻止壁３１２の前面３１３は、後側から前側に下り勾配となる斜面を構成する。部品基盤２９１には、前化粧盤３１４が設けられる。前化粧盤３１４は、図１２のａ図に示すように開いた開閉体３０６よりも前側に位置し、球入口３０２の左右縁部から前側に突出した支持部３１５によって部品基盤２９１に結合される。部品基盤２９１と前化粧盤３１４および支持部３１５が、球通過孔３１６を、上下方向への貫通孔として構成する。球通過孔３１６は、１個の球Ｐを上から下に通過可能であるが、横に並んだ２個の球Ｐを上から下に通過不可能な形態である。
【００８０】
図１２のａ図に示すように、部品基盤２９１の裏面が遊技盤２の遊技領域１３に接触して遊技基盤２Ａに取り付けられ、開閉体３０６が前側に開いた状態において、球Ｐが矢印Ｘ５３で示すように球通過孔３１６よりも上方における遊技領域１３から球通過孔３１６に取り込まれた場合、当該球Ｐは開閉体３０６における球通過孔３１６に突出した一端部の裏面３１１の上に受け止められた後に裏面３１１の上を前側から後側に転がる。この裏面３１１の上を前側から後側に転がった球Ｐが球入口３０２を経由して開閉軸３０７を後側に越えて被受止部３０９に受け止められる。
【００８１】
そして、図１２のｂ図に示すように、開閉体３０６の一端部が開閉軸３０７を中心として下から上に回転し、開閉体３０６の他端部が開閉軸３０７を中心として上から下に回転して球出口３０４の前縁部を形成する開閉収容部３０３の下壁に受け止められ、開閉体３０６の他端部がそれ以上前側に回転しないように静止される。これによって、開閉体３０６が前側から後側に閉鎖されて垂直姿勢になり、球入口３０２に球を入れることが不可能になる。その後、被受止部３０９に受け止められた球Ｐは、被受止部３０９から矢印Ｘ５４で示す下方に落下して球出口３０４を経由して可変入賞口３０１から遊技基盤２Ａの裏側に排出されて球通路３１７に取り込まれる。球通路３１７は、図４の第３球通路８５や第６球通路８８に相当する。図１２のｂ図に示すように、開閉体３０６が球出口３０４を閉鎖した場合、開閉体３０６の他端部よりも前側に位置した球流入阻止壁３１２は、遊技領域１３から球通過孔３１６に取り込まれた球を、開閉体３０６の他端部に衝突しないように受け止めて、球通過孔３１６の下方に排出する。このように開閉体３０６が球出口３０４を閉鎖した状態において、図外の球が球通過孔３１６よりも上方における遊技領域１３から球通過孔３１６に取り込まれた場合、当該球は球通過孔３１６から下方の遊技領域１３に排出される。
【００８２】
図１３を参照し、第３入賞部品２３の連動入賞機構３２０の構造について、第１０入賞口４１および第１１入賞口４２に対応する開閉体３０６の開閉と昇降籠２９２の昇降とを連動する場合を例として説明する。図１３のａ図において、連動入賞機構３２０は、開閉体３０６、昇降籠２９２、第２レバー２９４、案内溝３２１、連結棒３２２、持上突起３２３、第１閉鎖支持体３２４、第１アーム３２５、第１支持軸３２６、第２閉鎖支持体３２７、第２アーム３２８、第２支持軸３２９を備える。第１０入賞口４１に対応する開閉体３０６は、閉鎖支持部３１０を昇降籠２９２の側に配置する。第１１入賞口４２に対応する開閉体３０６は、閉鎖支持部３１０を第１０入賞口４１に対応する開閉体３０６の側に配置する。案内溝３２１は、昇降籠２９２の昇降に伴い連結棒３２２を横方向に移動するものであって、昇降籠２９２の裏面に設けられる。連結棒３２２は、案内溝３２１に移動可能に嵌め込まれ、昇降籠２９２の昇降に伴い第２レバー２９４を昇降するように、昇降籠２９２と第２レバー２９４とを連結するものであって、第２レバー２９４の一端部に設けられる。持上突起３２３は、第１アーム３２５および第２アーム３２８を持ち上げるものであって、第２レバー２９４の他端部に設けられる。
【００８３】
第１閉鎖支持体３２４は、第１支持軸３２６を中心として、部品基盤２９１の裏面と平行に上下方向に回転するように、部品基盤２９１の裏面に取り付けられる。第１アーム３２５は、第１閉鎖支持体３２４から持上突起３２３の側に突出する突起として、第１閉鎖支持体３２４に設けられる。第１閉鎖支持体３２４が部品基盤２９１の裏面に取り付けられ、第１閉鎖支持体３２４に回転を阻止する力が作用しない状態では、第１閉鎖支持体３２４が第１支持軸３２６を中心として上方に回転し、第１アーム３２５が第１支持軸３２６を中心として下方に回転するように、第１閉鎖支持体３２４および第１アーム３２５の重量が配分されている。
【００８４】
第２閉鎖支持体３２７は、第２支持軸３２９を中心として、部品基盤２９１の裏面と平行に上下方向に回転するように、部品基盤２９１の裏面に取り付けられる。第２アーム３２８は、第２閉鎖支持体３２７から持上突起３２３の側に突出する突起として、第２閉鎖支持体３２７に設けられる。第２閉鎖支持体３２７が部品基盤２９１の裏面に取り付けられ、第２閉鎖支持体３２７に回転を阻止する力が作用しない状態では、第２閉鎖支持体３２７が第２支持軸３２９を中心として上方に回転し、第２アーム３２８が第２支持軸３２９を中心として下方に回転するように、第２閉鎖支持体３２７および第２アーム３２８の重量が配分されている。
【００８５】
連動入賞機構３２０の動作について説明する。図１３のａ図に示すように、球が昇降籠２９２に搭載しておらず、昇降籠２９２が錘２９８の重さで上昇限度位置に停止し、昇降籠２９２の球受取部が第６入賞口３７の球出口と前後方向で対向し、第１０入賞口４１および第１１入賞口４２に対応する２つの開閉体３０６が閉鎖した場合、第１アーム３２５および第２アーム３２８が持上突起３２３に上から接触して持上突起３２３で支持され、第１閉鎖支持体３２４が第１０入賞口４１に対応する開閉体３０６における閉鎖支持部３１０に上から接触し、第２閉鎖支持体３２７が第１１入賞口４２に対応する開閉体３０６における閉鎖支持部３１０に上から接触する。これによって、開閉体３０６が錘３０８の重さで前側に開放しようとする動作が阻止され、開閉体３０６の閉鎖が確保される（図１２のｂ図参照）。
【００８６】
開閉体３０６の閉鎖が確保された状態において、図１３のｂ図に示すように、球Ｐが第６入賞口３７の球出口から昇降籠２９２の球入口を経由して球受取部に搭載されると、昇降籠２９２が球Ｐの重さで矢印Ｘ５１で示す方向に下降して下降限度位置に停止する。このように昇降籠２９２が上昇限度位置から下降限度位置に下降する過程において、持上突起３２３が第１アーム３２５および第２アーム３２８を持ち上げ、第１閉鎖支持体３２４が第１０入賞口４１に対応する開閉体３０６における閉鎖支持部３１０から外れ、第２閉鎖支持体３２７が第１１入賞口４２に対応する開閉体３０６における閉鎖支持部３１０から外れる。これによって、開閉体３０６が錘３０８の重さで開閉軸３０７を中心として前側に開放する。昇降籠２９２が下降限度位置に停止した場合、第６入賞口３７の球出口は、昇降籠２９２の球入口に存在する壁で閉鎖される。
【００８７】
その後、図１３のｃ図に示すように、球Ｐが昇降籠２９２の球受取部から矢印Ｘ５５で示す方向に落下し、昇降籠２９２が錘２９８の重さで下降限度位置から上昇し、持上突起３２３が下降するのに伴い、第１アーム３２５が第１支持軸３２６を中心として下方に回転し、第１閉鎖支持体３２４が第１支持軸３２６を中心として上方に回転して第１０入賞口４１に対応する閉鎖支持部３１０の側面に衝突し、第２アーム３２８が第２支持軸３２９を中心として下方に回転し、第２閉鎖支持体３２７が第２支持軸３２９を中心として上方に回転して第１１入賞口４２に対応する閉鎖支持部３１０の側面に衝突する。これによって、第１閉鎖支持体３２４および第１アーム３２５の第１支持軸３２６を中心とする回転が阻止され、第２閉鎖支持体３２７および第２アーム３２８の第２支持軸３２９を中心とする回転が阻止され、開閉体３０６の開放が確保され（図１２のａ図参照）、持上突起３２３が第１アーム３２５および第２アーム３２８から外れて下降する。そして、昇降籠２９２、第２レバー２９４の一端部、案内溝３２１、連結棒３２２が上昇限度位置に停止し、第２レバー２９４の他端部および持上突起３２３が下降限度位置に停止する。
【００８８】
図１３のｃ図に示すように第１０入賞口４１に対応する開閉体３０６の開放が確保された状態において、図１２のａ図からｂ図に示すように球Ｐが遊技領域１３から開閉体３０６の上に搭載され、図１３のｃ図に示す第１０入賞口４１に対応する開閉体３０６が図１２のｂ図に示すように閉じられた場合、図１３のｃ図に示す第１閉鎖支持体３２４と閉鎖支持部３１０との衝突した状態が解除される。それに伴い、図１３のａ図に示すように、第１アーム３２５が第１支持軸３２６を中心として下方に回転して持上突起３２３の上に接触して持上突起３２３で受け止められ、第１閉鎖支持体３２４が第１支持軸３２６を中心として上方に回転して第１０入賞口４１に対応する閉鎖支持部３１０の上に突出する。その後、図１２のｂ図に示す球Ｐが開閉体３０６から矢印Ｘ５４の方向に落下するのに伴い、開閉体３０６の一端部が錘３０８の重さで開閉軸３０７を中心として前側に回転し、図１３のａ図に示す第１閉鎖支持体３２４が第１０入賞口４１に対応する閉鎖支持部３１０の上に接触する。これによって、図１３のａ図に示すように第１０入賞口４１に対応する開閉体３０６の閉鎖が確保される。
【００８９】
また、図１３のｃ図に示すように第１１入賞口４２に対応する開閉体３０６の開放が確保された状態において、図１２のａ図からｂ図に示すように球Ｐが遊技領域１３から開閉体３０６の上に搭載され、図１３のｃ図に示す第１１入賞口４２に対応する開閉体３０６が図１２のｂ図に示すように閉じられた場合、図１３のｃ図に示す第２閉鎖支持体３２７と閉鎖支持部３１０との衝突した状態が解除される。それに伴い、図１３のａ図に示すように、第２アーム３２８が第２支持軸３２９を中心として下方に回転して持上突起３２３の上に接触して持上突起３２３で受け止められ、第２閉鎖支持体３２７が第２支持軸３２９を中心として上方に回転して第１１入賞口４２に対応する閉鎖支持部３１０の上に突出する。その後、図１２のｂ図に示す球Ｐが開閉体３０６から矢印Ｘ５４の方向に落下するのに伴い、開閉体３０６の一端部が錘３０８の重さで開閉軸３０７を中心として前側に回転し、図１３のａ図に示す第２閉鎖支持体３２７が第１１入賞口４２に対応する閉鎖支持部３１０の上に接触する。これによって、図１３のａ図に示すように第１１入賞口４２に対応する開閉体３０６の閉鎖が確保される。
【００９０】
要するに、図１３の球Ｐが第６入賞口３７から昇降籠２９２に搭載され、連動入賞機構３２０が第１０入賞口４１および第１１入賞口４２に対応する２つの開閉体３０６を開放するように動作する。そして、第１０入賞口４１および第１１入賞口４２に対応する２つの開閉体３０６が開放した状態において、図１２の球Ｐが遊技領域１３から球通過孔３１６を経由して開閉体３０６の上に取り込まれ、図１３の第１０入賞口４１および第１１入賞口４２に対応する２つの開閉体３０６が閉鎖される場合は、図１２の球Ｐが取り込まれた開閉体３０６ごとに個別に行われる。
【００９１】
図１４を参照し、遊技盤２の連動入賞機構３３１の構造について説明する。連動入賞機構３３１は、図１の第１７入賞口４８および第１９入賞口５０に対応する開閉体ｂ；ｃの開閉と昇降籠２９２の昇降とを連動するものであって、第３レバー３３２および第４レバー３３３が球導出部品３３４の裏面に取り付けられた場合を例示する。遊技基盤２Ａには、部品逃避孔３３５；３３６；３３７；３３８；３３９；３４０；３４１；３４２；３４３；３４５；３４６が、前後方向への貫通孔として設けられる。部品逃避孔３３５乃至３４６は、図１の第１乃至第１１入賞部品２１乃至３１と個別に対を成す。
【００９２】
図１１および図１４において、図１１の第３入賞部品２３が図１４の遊技基盤２Ａに取り付けられる場合、昇降籠２９２と第１レバー２９３および第２レバー２９４が遊技基盤２Ａの前側から部品逃避孔３３７に挿入され、部品基盤２９１の裏面が図１４の遊技基盤２Ａの前面に接触して部品逃避孔３３７を塞ぎ、図外のねじ釘が部品基盤２９１に設けられた貫通孔を経由して遊技基盤２Ａに締結される。これによって第３入賞部品２３が遊技基盤２Ａに取り付けられ、昇降籠２９２が遊技基盤２Ａの裏面よりも裏側に突出する。
【００９３】
図１と図６のｃ図および図１４において、図１の第６入賞部品２６に相当する図６のｃ図に示す可変入賞部品１１１Ｃが図１４の遊技基盤２Ａに取り付けられる場合、可変入賞部品１１１Ｃの裏側部分である図６のｃ図に示す作動収容部１３１が遊技基盤２Ａの前側から部品逃避孔３４０に挿入され、部品基盤１１２の裏面が遊技基盤２Ａの前面に接触して部品逃避孔３４０を塞ぎ、図外のねじ釘が部品基盤１１２に設けられた貫通孔を経由して遊技基盤２Ａに締結される。これによって、第６入賞部品２６が遊技基盤２Ａに取り付けられ、図６のｃ図に示す被押下部１７２が遊技基盤２Ａの裏面よりも裏側に突出する。
【００９４】
図１と図６のａ図および図１４において、図１の第８入賞部品２８に相当する図６のａ図に示す可変入賞部品１１１Ａが図１４の遊技基盤２Ａに取り付けられる場合、可変入賞部品１１１Ａの裏側部分である図６のａ図に示す作動収容部１３１が遊技基盤２Ａの前側から部品逃避孔３４２に挿入され、部品基盤１１２の裏面が遊技基盤２Ａの前面に接触して部品逃避孔３４２を塞ぎ、図外のねじ釘が部品基盤１１２に設けられた貫通孔を経由して遊技基盤２Ａに締結される。これによって、第８入賞部品２８が遊技基盤２Ａに取り付けられ、図６のａ図に示す被押下部１７２が遊技基盤２Ａの裏面よりも裏側に突出する。
【００９５】
図１４において、球導出部品３３４は、セット板とも呼ばれ、遊技基盤２Ａの裏面に釘などの固定具で取り付けられることによって、遊技基盤２Ａの裏側に排出された球を下方に誘導して排出するための図４の第１乃至第２３球通路８３乃至１０５および部品逃避孔３４７乃至３５５を備える。部品逃避孔３４７は、図１の第３入賞部品２３の裏側部分を逃げるための前後方向への貫通孔である。部品逃避孔３４８は、図１の第４入賞部品２４の裏側部分を逃げるための前後方向への貫通孔である。部品逃避孔３４９は、図１の第５入賞部品２５の裏側部分を逃げるための前後方向への貫通孔である。部品逃避孔３５０は、図１の第６入賞部品２６の裏側部分を逃げるための前後方向への貫通孔である。部品逃避孔３５１は、図１の第７入賞部品２７の裏側部分を逃げるための前後方向への貫通孔である。部品逃避孔３５２は、図１の第８入賞部品２８の裏側部分を逃げるための前後方向への貫通孔である。部品逃避孔３５３は、図２の第９入賞部品２９の裏側部分を逃げるための前後方向への貫通孔である。部品逃避孔３５４は、図２の第１０入賞部品３０の裏側部分を逃げるための前後方向への貫通孔である。部品逃避孔３５５は、図２の第１１入賞部品３１の裏側部分を逃げるための前後方向への貫通孔である。
【００９６】
部品逃避孔３４７の下部には、第３球通路８５の上部、球通路８５Ａの上部、球通路８５Ｂの上部、第６球通路８８の上部、球通路８８Ａの上部、球通路８８Ｂの上部、第９球通路９１の上部が個別に開口しかつ繋がる。第９球通路９１は、下降限度位置に到達した図１１の昇降籠２９２から裏側に排出された球を下方に誘導する。第９球通路９１における裏面には、レバー室３５６、レバー軸３５７；３５８、昇降ガイド部３５９；３６０が設けられる。球導出部品３３４におけるレバー室３５６とレバー軸３５７；３５８および昇降ガイド部３５９；３６０の設けられる設置部３６１は、第３球通路８５、第４球通路８６、第６球通路８８、第７球通路８９、第１０球通路９２、第１４球通路９６、第１６球通路９８、第１８球通路１００、第２１球通路１０３で囲まれた板状であって、遊技基盤２Ａの裏面に接触して取り付けられる。
【００９７】
レバー室３５６は、左壁と右壁および下壁で囲まれ、上部および裏部を開口し、前部と左右部および下部を塞がれた形状である。レバー室３５６の左壁と右壁および下壁は、球導出部品３３４における遊技基盤２Ａの裏面に接触する板状の部分から裏側に突出する。球導出部品３３４の左壁および右壁には、レバー逃避孔３６２；３６３が、球導出部品３３４の左壁および右壁の裏側および左右方向に開口した形状に設けられる。レバー室３５６の前部を塞ぐ前壁には、球連絡孔３６４が前後方向への貫通孔として形成される。球連絡孔３６４は、昇降籠２９２からレバー室３５６に排出された後に第３レバー３３２および第４レバー３３３を動かしてレバー室３５６の下部に到達した球を、レバー室３５６から第９球通路９１における遊技基盤２Ａの裏面の側に位置された下部に排出する。球導出部品３３４の裏側には、第３レバー３３２および第４レバー３３３が設けられる。
【００９８】
第３レバー３３２は、図１の第１７入賞口４８の開閉体ｂ；ｃを開くための図４の作動体１２４を動かす梃子である。第３レバー３３２が第１７入賞口４８の開閉体ｂ；ｃを開く構造は、図１６で詳述する。第３レバー３３２の一端部には、球受部３６５が設けられる。第３レバー３３２の他端部には、錘３６６が設けられる。第３レバー３３２の中間部には、軸受孔部３６７およびアーム３６８が設けられる。アーム３６８の上端部が第３レバー３３２にアーム軸３６９で回転可能に取り付けられ、アーム３６８が全体的に第３レバー３３２からぶら下げられた格好になる。軸受孔部３６７は、前後方向に貫通する軸受孔を有する筒状に構成される。アーム３６８の下部には、押下部３７０が突起として設けられる。アーム３６８におけるアーム軸３６９と押下部３７０との間の中間部には、被昇降ガイド部３７１が、前後方向に貫通しかつ上下方向に長い縦長の孔として設けられる。
【００９９】
第４レバー３３３は、図１の第１９入賞口５０の開閉体ｂ；ｃを開くための図４の作動体１２２を動かす梃子である。第４レバー３３３が第１９入賞口５０の開閉体を開く構造は、図１６で詳述する。第４レバー３３３の一端部には、球受部３７２が設けられる。球受部３７２の球と接触する上面は、後側から前側に行くにしたがって下り勾配になる斜面として構成される。第４レバー３３３の他端部には、錘３７３が設けられる。第４レバー３３３の中間部には、軸受孔部３７４およびアーム３７５が設けられる。軸受孔部３７４は、前後方向に貫通する軸受孔を有する筒状に構成される。アーム３７５の上端部が第４レバー３３３にアーム軸３７６で回転可能に取り付けられ、アーム３７５が全体的に第４レバー３３３からぶら下げられた格好になる。アーム３７５の下部には、押下部３７７が突起として設けられる。アーム３７５におけるアーム軸３７６と押下部３７７との間の中間部には、被昇降ガイド部３７８が、前後方向に貫通しかつ上下方向に長い縦長の孔として設けられる。
【０１００】
球導出部品３３４が遊技基盤２Ａに取り付けられた場合、第９球通路９１の前部は、遊技基盤２Ａにおける部品逃避孔３３７よりも下部の裏面で塞がれる。第９球通路９１の裏部、とりわけ、レバー室３５６の裏部は、図外の通路カバーで塞がれる。
【０１０１】
図１と図１４および図１５を参照し、連動入賞機構３３１の遊技基盤２Ａの裏側への取付方について説明する。図１に示す第１乃至第１１入賞部品２１乃至３１が遊技基盤２Ａの前側から遊技基盤２Ａに取り付けられる。図１４において、球導出部品３３４が遊技基盤２Ａの裏側から遊技基盤２Ａに取り付けられる。第３レバー３３２の球受部３６５がレバー室３５６の側に向けられ、第３レバー３３２の錘３６６が第４球通路８６の側に向けられ、第３レバー３３２の軸受孔部３６７が球導出部品３３４の裏側からレバー軸３５８に嵌め込まれ、レバー軸３５７の後端部が第３レバー３３２よりも裏側に突出し、第３レバー３３２における球受部３６５の側に位置する一端部がレバー逃避孔３６２に挿入され、球受部３６５がレバー室３５６に配置され、被昇降ガイド部３７１が球導出部品３３４の裏側から昇降ガイド部３５９に嵌め込まれる。これによって、図１５に示すように、押下部３７０が第６入賞部品２６における被押下部１７２よりも上部の真上に配置される。
【０１０２】
また、図１４において、第４レバー３３３の球受部３７２がレバー室３５６の側に向けられ、第４レバー３３３の錘３７３が第７球通路８９の側に向けられ、第４レバー３３３の軸受孔部３７４が球導出部品３３４の裏側からレバー軸３５８に嵌め込まれ、レバー軸３５８の後端部が第４レバー３３３よりも裏側に突出し、第４レバー３３３における球受部３７２の側に位置する一端部がレバー逃避孔３６３に挿入され、球受部３７２が球受部３６５よりも下部に位置してレバー室３５６に配置され、被昇降ガイド部３７８が球導出部品３３４の裏側から昇降ガイド部３６０に嵌め込まれる。これによって、図１５に示すように、押下部３７７が第８入賞部品２８における被押下部１７２よりも上部の真上に配置される。
【０１０３】
図１５に示すように、第３レバー３３２が球導出部品３３４にレバー軸３５７を中心として設置部３６１の裏面と平行で上下方向に回転し得るように取り付けられ、第４レバー３３３が球導出部品３３４にレバー軸３５８を中心として設置部３６１の裏面と平行で上下方向に回転し得るように取り付けられ、第３入賞部品２３が上でアウト口１７が下になるように、遊技基盤２Ａが起立された場合、第３レバー３３２は、錘３６６の重さによって、第３レバー３３２における球受部３６５の側に位置する一端部がレバー逃避孔３６２の上面に接触し、それ以上、球受部３６５が上に移動しないように、第３レバー３３２が球導出部品３３４に支持される。また、第４レバー３３３は、錘３７３の重さによって、第４レバー３３３における球受部３７２の側に位置する一端部がレバー逃避孔３６３の上面に接触し、それ以上、球受部３７２が上に移動しないように、第４レバー３３３が球導出部品３３４に支持される。
【０１０４】
図１６を参照し、連動入賞機構３３１の動作について説明する。先ず、図１６のａ図に示すように、第３レバー３３２の球受部３６５が錘３６６（図１６のｃ図参照）の重さによってレバー軸３５７（図１６のｃ図参照）を中心として上方に回転してレバー逃避孔３６２の上縁部に下から受け止められ、第４レバー３３３の球受部３７２が錘３７３（図１６のｃ図参照）の重さによってレバー軸３５８（図１６のｃ図参照）を中心として上方に回転してレバー逃避孔３６３の上縁部に下から受け止められた状態において、球Ｐが第６入賞口３７（図４参照）から裏側の昇降籠２９２に取り込まれる。次に、図１６のｂ図に示すように、昇降籠２９２が球Ｐの重さで矢印Ｘ６１の方向に下降して第９球通路９１の上部に到達する。
【０１０５】
その後、図１６のｃ図において、球Ｐが矢印Ｘ６２で示すように昇降籠２９２から球受部３６５の上に落下すると、昇降籠２９２が矢印Ｘ６３の方向に上昇し、第３レバー３３２の球受部３６５が球Ｐの重さによってレバー軸３５７を中心として矢印Ｘ６４で示すように下方に回転する。したがって、アーム３６８が昇降ガイド部３５９と被昇降ガイド部３７１とによる誘導を受けながら下降し、押下部３７０が第６入賞部品２６の被押下部１７２を押し下げ、図１の第６入賞部品２６の開閉体ｂ；ｃが開く。
【０１０６】
前記第３レバー３３２の下方への回転に伴い、図１６のｄ図に示すように、球Ｐが球受部３６５から第４レバーの球受部３７２の上に落下すると、第３レバー３３２の球受部３６５が錘３６６の重さによってレバー軸３５７を中心として矢印Ｘ６５で示すように上方に回転してレバー逃避孔３６２の上縁部に下から受け止められ、第４レバー３３３の球受部３７２が球Ｐの重さによってレバー軸３５８を中心として矢印Ｘ６６で示すように下方に回転する。したがって、アーム３７５が昇降ガイド部３６０と被昇降ガイド部３７８とによる誘導を受けながら下降し、押下部３７７が第８入賞部品２８の被押下部１７２を押し下げ、図１の第８入賞部品２８の開閉体ｂ；ｃが開く。
【０１０７】
上記第４レバー３３３の下方への回転に伴い、図１６のｅ図に示すように、球Ｐが球受部３７２から球連絡孔３６４に取り込まれ、第４レバーの球受部３７２が錘３７３の重さによってレバー軸３５８を中心として矢印Ｘ６７で示すように上方に回転し、レバー逃避孔３６３の上縁部に下から受け止められる。
【０１０８】
図１７を参照し、パチンコ遊技機の構造について説明する。パチンコ遊技機は、遊技機枠１の内部に遊技盤２を交換可能に格納した形態である。遊技機枠１は、固定枠３の前側に可動枠４を開閉可能に備え、可動枠４の前側に前扉５および皿構造体６を開閉可能に備える。固定枠３は、遊技機設置構造体に取り付けるための外枠とも呼ばれる。遊技機設置構造体は、遊技店のパチンコ遊技機を設置する島とも呼ばれる設備である。可動枠４は、遊技盤２、球発射機構７、図外の球払出機構など遊技に必要な部品を取り付ける前枠とも呼ばれる。前扉５は、パネル枠とも呼ばれ、前後方向に貫通する窓９を備える。窓９は、前面パネル１０で塞がれる。前面パネル１０は、前扉５の裏面に設けられた光透過性の有る無色なガラスのような板状の部材により構成される。皿構造体６の前面には、球受皿部１１および球発射操作機構１２が設けられる。
【０１０９】
遊技盤２が遊技機枠１に格納された場合、遊技領域１３は、遊技機枠１の前側から窓９および前面パネル１０を経由して視認される。その状態において、遊技者が球受皿部１１にパチンコ球と呼ばれる球を入れ、遊技者が球発射操作機構１２を右回りに操作すると、球発射機構７が球発射操作機構１２の操作量に応じた発射力で駆動し、球発射機構７が球受皿部１１から遊技機枠１の内部に取り込まれた球を１個ずつ球発射通路１６に向けて発射する。球発射通路１６に発射された球は、球戻り防止弁１８を押し開けて遊技領域１３に到達する。遊技領域１３に到達した球は、遊技領域１３を流下する過程において、遊技部品に衝突して、流れる方向を変えながら、第１乃至第１１入賞部品３１のいずれかに入って遊技盤２の裏側に排出される。第１乃至第１１入賞部品３１のいずれにも入らないで、遊技領域１３の最下部に到達した球は、アウト口１７から遊技盤２の裏側に排出される。
【０１１０】
最良の形態によれば、図１７の球発射機構７から遊技領域１３に発射された１個の球が、遊技領域１３を流下する過程において、図１の第３入賞口３４または第４入賞口３５を経由して特定入賞口としての第６入賞口３７に入賞すると、第８乃至第１１入賞口３９乃至４２における開閉体ａと第１７乃至第１９入賞口４８乃至５０および第２１入賞口５２における開閉体ｂ；ｃとが開放され、第８乃至第１１入賞口３９乃至４２と第１７乃至第１９入賞口４８乃至５０および第２１入賞口５２からなる合計８個の可変入賞口が球の入賞可能な形態に開放される。その後、上記と別の球が、遊技領域１３を流下する過程において、開放した合計８個の可変入賞口のいずれかに入賞するたびに、当該球の入賞した可変入賞口が球の入賞不可能な形態に閉鎖され、図外の球払出機構が賞球としての球を遊技者に与えられるように図１７の球受皿部１１に払い出す。つまり、１個の球が特定入賞口としての第６入賞口３７に入賞すると、合計８個の可変入賞口が球の入賞可能な形態に開放されるので、１個の球の入賞によって球の入賞可能な形態に開放される可変入賞口の個数が合計８個と多くなるという利点がある。
【０１１１】
１個の球が特定入賞口としての第６入賞口３７に入賞して合計８個の可変入賞口が球の入賞可能な形態に開放された状態において、別の１個の球が第８入賞口３９または第９入賞口４０に入賞すると、第１３入賞口４４の開閉体ｂ；ｃが開放され、可変入賞口としての第１３入賞口４４が球の入賞可能な形態に開放され、別の１個の球が第１０入賞口４１または第１１入賞口４２に入賞すると、第１５入賞口４６の開閉体ｂ；ｃが開放され、可変入賞口としての第１５入賞口４６が球の入賞可能な形態に開放される。その後、上記と別の１個の球が、遊技領域１３を流下する過程において、第１３入賞口４４または第１５入賞口４６に入賞すると、当該球の入賞した可変入賞口が球の入賞不可能な形態に閉鎖され、図外の球払出機構が賞球としての球を遊技者に与えられるように図１７の球受皿部１１に払い出す。
【０１１２】
また、１個の球が特定入賞口としての第６入賞口３７に入賞して合計８個の可変入賞口が球の入賞可能な形態に開放された状態において、別の１個の球が第１７入賞口４８に入賞すると、第２０入賞口５１の開閉体ｂ；ｃが開放され、可変入賞口としての第２０入賞口５１が球の入賞可能な形態に開放され、別の１個の球が第１９入賞口５０に入賞すると、第２２入賞口５３の開閉体ｂ；ｃが開放され、可変入賞口としての第２２入賞口５３が球の入賞可能な形態に開放される。その後、上記と別の１個の球が、遊技領域１３を流下する過程において、第２０入賞口５１または第２２入賞口５３に入賞すると、当該球の入賞した可変入賞口が球の入賞不可能な形態に閉鎖され、図外の球払出機構が賞球としての球を遊技者に与えられるように図１７の球受皿部１１に払い出す。つまり、１個の球が特定入賞口としての第６入賞口３７に入賞すると、合計４個の可変入賞口が球の入賞可能な形態に開放される可能性が生まれるので、１個の球の入賞によって球の入賞可能な形態に開放される可能性を有する可変入賞口の個数が合計４個と多くなるという利点がある。
【産業上の利用可能性】
【０１１３】
開閉体ａが、開閉体ｂ；ｃのように左右方向に開閉するように構成されてもよい。開閉体ｂ；ｃが、開閉体ａのように前後方向に開閉するように構成されてもよい。
【図面の簡単な説明】
【０１１４】
【図１】遊技盤の正面図（最良の形態）。
【図２】遊技盤の正面からの模式図（最良の形態）。
【図３】第１乃至第１１入賞部品と第１乃至第２２入賞口と払出と連動との相互関係を示す図表（最良の形態）。
【図４】球が入賞した場合における第１入賞口、第２入賞口、第５乃至第２２入賞口の相互関係を示す遊技盤の背面からの模式図（最良の形態）。
【図５】４種類の可変入賞部品の分解斜視図（最良の形態）。
【図６】４種類の可変入賞部品の斜視図（最良の形態）。
【図７】４種類の入賞部品の作用説明図（最良の形態）。
【図８】２種類の入賞部品の分解斜視図（最良の形態）。
【図９】２種類の入賞部品の斜視図（最良の形態）。
【図１０】２種類の入賞部品の作用説明図（最良の形態）。
【図１１】第３入賞部品の背面からの斜視図（最良の形態）。
【図１２】第３入賞部品における可変入賞口の作用説明図（最良の形態）。
【図１３】第３入賞部品における連動入賞機構の作用説明図（最良の形態）。
【図１４】遊技盤の背面からの分解斜視図（最良の形態）。
【図１５】遊技盤の背面からの斜視図（最良の形態）。
【図１６】遊技盤における連動入賞機構の作用説明図（最良の形態）。
【図１７】パチンコ遊技機の正面図（最良の形態）。
【符号の説明】
【０１１５】
２      遊技盤
２Ａ    遊技基盤
３７    第６入賞口（特定入賞口）
３９    第８入賞口（多数の可変入賞口）
４０    第９入賞口（多数の可変入賞口）
４１    第１０入賞口（多数の可変入賞口）
４２    第１１入賞口（多数の可変入賞口）
４４    第１３入賞口（別の可変入賞口）
４６    第１５入賞口（別の可変入賞口）
４８    第１７入賞口（多数の可変入賞口）
４９    第１８入賞口（多数の可変入賞口）
５０    第１９入賞口（多数の可変入賞口）
５１    第２０入賞口（別の可変入賞口）
５２    第２１入賞口（多数の可変入賞口）
５３    第２２入賞口（別の可変入賞口）
３２０  連動入賞機構
３３１  連動入賞機構
【図１】
2007307266.tif 000003
【図２】
2007307266.tif 000004
【図３】
2007307266.tif 000005
【図４】
2007307266.tif 000006
【図５】
2007307266.tif 000007
【図６】
2007307266.tif 000008
【図７】
2007307266.tif 000009
【図８】
2007307266.tif 000010
【図９】
2007307266.tif 000011
【図１０】
2007307266.tif 000012
【図１１】
2007307266.tif 000013
【図１２】
2007307266.tif 000014
【図１３】
2007307266.tif 000015
【図１４】
2007307266.tif 000016
【図１５】
2007307266.tif 000017
【図１６】
2007307266.tif 000018
【図１７】
2007307266.tif 000019